(57)【要約】【課題】  変位部材を備え、変位部材の変位判断に関して必要なメカ機構の材料および配置場所を低減する、画像処理装置および読取装置を提供する。【解決手段】  装置本体と、前記装置本体に対して第１の位置と第２の位置とに変位する変位部材と、前記装置本体および前記変位部材の少なくともいずれか一方に設けられる誘電部材と、前記変位部材が前記第１の位置である場合に前記誘電部材に接近又は接触する位置に設けられ、前記誘電部材との距離によって変化する静電容量に対応した出力値を出力する第１の検出部と、画像処理部と、制御部と、を備え、前記制御部は、前記第１の検出部によって出力される出力値が第１の条件を満たす場合、前記変位部材が前記第１の位置であるとして前記画像処理部を制御し、前記第１の検出部によって出力される出力値が前記第１の条件を満たさない場合、前記変位部材が前記第２の位置であるとして前記画像処理部を制御する第１の画像処理を行う。【選択図】        図３
2014232913.tif 000002
【特許請求の範囲】
【請求項１】
装置本体と、
前記装置本体に対して第１の位置と第２の位置とに変位する変位部材と、
前記装置本体および前記変位部材の少なくともいずれか一方に設けられる誘電部材と、
前記変位部材が前記第１の位置である場合に前記誘電部材に接近又は接触する位置に設けられ、前記誘電部材との距離によって変化する静電容量に対応した出力値を出力する第１の検出部と、
画像処理部と、
制御部と、を備え、
前記制御部は、
前記第１の検出部によって出力される出力値が第１の条件を満たす場合、前記変位部材が前記第１の位置であるとして前記画像処理部を制御し、前記第１の検出部によって出力される出力値が前記第１の条件を満たさない場合、前記変位部材が前記第２の位置であるとして前記画像処理部を制御する第１の画像処理を行う、画像処理装置。
【請求項２】
静電容量に対応した出力値を出力する第２の検出部を備え、
前記制御部は、
前記第２の検出部によって出力される出力値が第２の条件を満たす場合、前記第２の検出部へ人体が接近又は接触したとして前記画像処理部を制御する第２の画像処理を行う、請求項１に記載の画像処理装置。
【請求項３】
前記第１の検出部は前記第２の検出部と共通の基板上に設けられる、請求項２に記載の画像処理装置。
【請求項４】
前記第１の検出部は前記第２の検出部である請求項３に記載の画像処理装置。
【請求項５】
前記第１の検出部は、設置箇所の静電容量に対応した出力値を出力するための検知板を複数箇所に有しており、
前記制御部は、前記第１の画像処理において、前記複数箇所の前記検知板によって出力される前記複数箇所の全ての出力値が前記第１の条件を満たす場合、前記変位部材が前記第１の位置であるとして前記画像処理部を制御し、前記複数箇所の前記検知板によって出力される前記複数箇所の出力値のうちの少なくとも１つの出力値が前記第１の条件を満たさない場合、前記変位部材が前記第２の位置であるとして前記画像処理部を制御する請求項４に記載の画像処理装置。
【請求項６】
前記複数箇所のうちの少なくとも１つの箇所は、前記複数箇所のうちの他の全ての箇所と所定距離離れている請求項５に記載の画像処理装置。
【請求項７】
前記誘電部材は、人体の誘電率よりも大きい誘電率となる部材であり、
前記制御部は、前記第１の検出部への前記人体の接近又は接触がなされておらず且つ前記変位部材が前記第２の位置であることにより前記第１の検出部によって出力される出力値を基準値とした場合に、前記変位部材が前記第１の位置であることにより前記第１の検出部によって出力される出力値よりも小さく、前記第１の検出部への前記人体の接近又は接触により前記第１の検出部によって出力される出力値よりも大きい、第１の閾値と、
前記第１の検出部への前記人体の接近又は接触により前記第１の検出部によって出力される出力値よりも小さく、前記基準値よりも大きい、第２の閾値と、
前記第１の検出部への前記人体の接近又は接触がなされておらず且つ前記変位部材が前記第１の位置であることにより前記第１の検出部によって出力される出力値を基準値とした場合に、前記変位部材が前記第２の位置であることにより前記第１の検出部によって出力される出力値よりも大きく、前記基準値よりも小さい、第３の閾値と、によって、
前記第１の条件は、前記基準値が、前記変位部材が前記第１の位置である際の出力値である場合には、前記第３の閾値以上であるとし、前記基準値が、前記変位部材が前記第２の位置である際の出力値である場合には、前記第１の閾値以上であるとして前記第１の画像処理を行い、前記第２の条件は、前記第２の閾値以上かつ前記第１の閾値未満であるとして前記第２の画像処理を行う請求項４から６のいずれかに記載の画像処理装置。
【請求項８】
前記誘電部材は、人体の誘電率よりも小さい誘電率となる部材であり、
前記制御部は、前記第１の検出部への前記人体の接近又は接触がなされておらず且つ前記変位部材が前記第２の位置であることにより前記第１の検出部によって出力される出力値を基準値とした場合に、前記第１の検出部への前記人体の接近又は接触により前記第１の検出部によって出力される出力値よりも小さく、前記変位部材が前記第１の位置であることにより前記第１の検出部によって出力される出力値よりも大きい、第４の閾値と、
前記変位部材が前記第１の位置であることにより前記第１の検出部によって出力される出力値よりも小さく、前記基準値よりも大きい、第５の閾値と、
前記第１の検出部への前記人体の接近又は接触がなされておらず且つ前記変位部材が前記第１の位置であることにより前記第１の検出部によって出力される出力値を基準値とした場合に、前記変位部材が前記第２の位置であることにより前記第１の検出部によって出力される出力値よりも大きく、前記基準値よりも小さい、第６の閾値と、によって、
前記第１の条件は、前記基準値が、前記変位部材が前記第１の位置である際の出力値である場合には、前記第６の閾値以上であるとし、前記基準値が、前記変位部材が前記第２の位置である際の出力値である場合には、前記第５の閾値以上かつ前記第４閾値未満であるとして前記第１の画像処理を行い、前記第２の条件は、前記第４の閾値以上であるとして前記第２の画像処理を行う請求項４から６のいずれかに記載の画像処理装置。
【請求項９】
前記誘電部材は、人体の誘電率よりも大きい誘電率となる部材であり、
前記制御部は、前記第１の検出部への前記人体の接近又は接触がなされていないことにより前記第１の検出部によって出力される出力値と前記変位部材が前記第１の位置であることにより前記第１の検出部によって出力される出力値との和より大きく、前記第１の検出部への前記人体の接近又は接触により前記第１の検出部によって出力される出力値と前記変位部材が前記第１の位置であることにより前記第１の検出部によって出力される出力値との和より小さい、第７の閾値と、
前記第１の検出部への前記人体の接近又は接触により前記第１の検出部によって出力される出力値と前記変位部材が前記第２の位置であることにより前記第１の検出部によって出力される出力値との和より大きく、前記第１の検出部への前記人体の接近又は接触がなされていないことにより前記第１の検出部によって出力される出力値と前記変位部材が前記第１の位置であることにより前記第１の検出部によって出力される出力値との和より小さい、第８の閾値と、
前記第１の検出部への前記人体の接近又は接触がなされていないことにより前記第１の検出部によって出力される出力値と前記変位部材が前記第２の位置であることにより前記第１の検出部によって出力される出力値との和より大きく、前記第１の検出部への前記人体の接近又は接触により前記第１の検出部によって出力される出力値と前記変位部材が前記第２の位置であることにより前記第１の検出部によって出力される出力値との和より小さい、第９の閾値と、によって、
前記第１の条件は、前記第８の閾値以上であるとして前記第１の画像処理を行い、前記第２の条件は前記第７の閾値以上、もしくは前記第８の閾値未満かつ前記第９の閾値以上であるとして前記第２の画像処理を行う請求項４から６のいずれかに記載の画像処理装置。
【請求項１０】
前記誘電部材は、人体の誘電率よりも小さい誘電率となる部材であり、
前記制御部は、前記第１の検出部への前記人体の接近又は接触により前記第１の検出部によって出力される出力値と前記変位部材が前記第２の位置であることにより前記第１の検出部によって出力される出力値との和より大きく、前記第１の検出部への前記人体の接近又は接触により前記第１の検出部によって出力される出力値と前記変位部材が前記第１の位置であることにより前記第１の検出部によって出力される出力値との和より小さい、第１０の閾値と、
前記第１の検出部への前記人体の接近又は接触がなされていないことにより前記第１の検出部によって出力される出力値と前記変位部材が前記第１の位置であることにより前記第１の検出部によって出力される出力値との和より大きく、前記第１の検出部への前記人体の接近又は接触がなされていることにより前記第１の検出部によって出力される出力値と前記変位部材が前記第２の位置であることにより前記第１の検出部によって出力される出力値との和より小さい、第１１の閾値と、
前記第１の検出部への前記人体の接近又は接触がなされていないことにより前記第１の検出部によって出力される出力値と前記変位部材が前記第２の位置であることにより前記第１の検出部によって出力される出力値との和より大きく、前記第１の検出部への前記人体の接近又は接触がなされていないことにより前記第１の検出部によって出力される出力値と前記変位部材が前記第１の位置であることにより前記第１の検出部によって出力される出力値との和より小さい、第１２の閾値と、によって、
前記第１の条件は前記第１０の閾値以上、もしくは前記第１１の閾値未満かつ前記第１２の閾値以上であるとして前記第１の画像処理を行い、前記第２の条件は前記第１１の閾値以上であるとして前記第２の画像処理を行う、請求項４から６のいずれかに記載の画像処理装置。
【請求項１１】
前記制御部は、前記第２の検出部の全てもしくは一部について、前記第２の画像処理を行わない操作無効状態とする操作無効処理を行い、
前記第２の検出部の全てもしくは一部が前記操作無効状態である場合には、前記第２の検出部のうちの前記操作無効状態である部分の静電容量に対応した出力値により前記第１の画像処理を行う、請求項４から１０のいずれかに記載の画像処理装置。
【請求項１２】
装置本体と、
前記装置本体に設けられ、原稿を載置可能な載置部と、
前記載置部に対して開位置と閉位置とに変位する蓋部材と、
前記装置本体および前記蓋部材の少なくともいずれか一方に設けられる誘電部材と、
前記蓋部材が前記閉位置である場合に前記誘電部材に接近又は接触する位置に設けられ、前記誘電部材との距離によって変化する静電容量に対応した出力値を出力する検出部と、
画像処理として、前記載置部に載置した前記原稿の読取を行う読取部を含む画像処理部と、
制御部と、を備え、
前記制御部は、前記検出部によって出力される出力値が第１の条件を満たす場合、前記蓋部材が前記閉位置であるとして前記画像処理部を制御し、前記検出部によって出力される出力値が前記第１の条件を満たさない場合、前記蓋部材が前記開位置であるとして前記画像処理部を制御する第１の処理を行う、読取装置。
【請求項１３】
前記検出部は、設置箇所の静電容量に対応した出力値を出力する検知板を複数箇所に有しており、
前記制御部は、前記検出部の前記検知板によって出力される出力値が、前記検出部への人体の接近又は接触に伴い誘電が生じることにより満たされる条件である第２の条件を満たす場合、前記検出部へ人体が接近又は接触したとして前記画像処理部を制御する第２の処理を行い、
前記第１の処理において、前記読取部による前記読取中でない場合には、前記複数箇所のうちの第１の複数箇所に設けられた前記検知板によって出力される全ての出力値が前記第１の条件を満たす場合、前記蓋部材が前記閉位置であるとして前記画像処理部を制御し、前記第１の複数箇所の前記検知板によって出力される出力値のうちの少なくとも１つの出力値が前記第１の条件を満たさない場合、前記蓋部材が前記開位置であるとして前記画像処理部を制御し、
前記読取部による前記読取中である場合には、前記第１の複数箇所よりも多い箇所である第２の複数箇所に設けられた前記検知板によって出力される全ての出力値が前記第１の条件を満たす場合、前記蓋部材が前記閉位置であるとして前記画像処理部を制御し、前記第２の複数箇所の出力値のうちの少なくとも１つの出力値が前記第１の条件を満たさない場合、前記蓋部材が前記開位置であるとして前記画像処理部を制御する、請求項１２に記載の読取装置。
【請求項１４】
前記検出部は、設置箇所の静電容量に対応した出力値を出力する検知板を、中止部を含む複数箇所に有しており、
前記制御部は、前記読取部による前記読取中に、前記中止部の前記検知板によって出力される出力値が前記検出部への人体の接近又は接触に伴い誘電が生じることにより満たされる条件である第２の条件を満たす場合、前記中止部へ人体が接近又は接触したとして前記読取部による前記読取を中止する中止処理を行い、
前記読取部による前記読取中である場合には、前記第１の処理において、前記複数箇所のうちの前記中止部を含まない箇所の前記検知板によって出力される全ての出力値が前記第１の条件を満たす場合、前記蓋部材が前記閉位置であるとして、前記画像処理部を制御し、前記複数箇所のうちの前記中止部を含まない箇所の出力値のうちの少なくとも１つの前記検知板によって出力される出力値が前記第１の条件を満たさない場合、前記蓋部材が前記開位置であるとして、前記画像処理部を制御する、請求項１２に記載の読取装置。
【発明の詳細な説明】
【技術分野】
【０００１】
本発明は、変位部材を備えた画像処理装置および読取装置に関する。
【背景技術】
【０００２】
従来、画像処理装置の開閉部材の開閉判断等、変位部材の変位判断に関して、メカ機構の動作によってセンサ部分を反応させるメカスイッチが変位判断に用いられてきた。例えば特許文献１には、原稿載置部を備えた読取装置であって、原稿載置部に対して開閉自在に設けられた原稿カバーの開閉を、メカスイッチによって検出し判断するものが開示されている。
【先行技術文献】
【特許文献】
【０００３】
【特許文献１】特開２００６−１４８６９３号公報
【発明の概要】
【発明が解決しようとする課題】
【０００４】
しかしながら上記従来例においては、センサ部分以外に、メカ機構の材料および配置場所が必要であった。
【０００５】
本発明は上述した問題点を解決するためになされたものであり、変位部材を備え、変位部材の変位判断に関して必要なメカ機構の材料および配置場所を低減する、画像処理装置および読取装置を提供するものである。
【課題を解決するための手段】
【０００６】
この目的を達成するためになされた本発明のシート搬送装置は、装置本体と、前記装置本体に対して第１の位置と第２の位置とに変位する変位部材と、前記装置本体および前記変位部材の少なくともいずれか一方に設けられる誘電部材と、前記変位部材が前記第１の位置である場合に前記誘電部材に接近又は接触する位置に設けられ、前記誘電部材との距離によって変化する静電容量に対応した出力値を出力する第１の検出部と、画像処理部と、制御部と、を備え、前記制御部は、前記第１の検出部によって出力される出力値が第１の条件を満たす場合、前記変位部材が前記第１の位置であるとして前記画像処理部を制御し、前記第１の検出部によって出力される出力値が前記第１の条件を満たさない場合、前記変位部材が前記第２の位置であるとして前記画像処理部を制御する第１の画像処理を行うことを特徴とする。
【０００７】
このようにすれば、変位部材の変位判断に関して必要なメカ機構の材料および配置場所を低減できる。
【０００８】
また、静電容量に対応した出力値を出力する第２の検出部を備え、前記制御部は、前記第２の検出部によって出力される出力値が第２の条件を満たす場合、前記第２の検出部へ人体が接近又は接触したとして前記画像処理部を制御する第２の画像処理を行うものであってもよい。
【０００９】
このようにすれば、変位部材の変位判断に関して必要なメカ機構の材料および配置場所を低減できるとともに、第２の検出部への人体の接近又は接触によって、画像処理を行うことができる。
【００１０】
また、前記第１の検出部は前記第２の検出部と共通の基板上に設けられるものであってもよい。
【００１１】
このようにすれば、変位部材の変位判断に関して必要なメカ機構の材料および配置場所を低減できる変位部材の変位判断、および第２の検出部への人体の接近又は接触によって画像処理を行うことができるとともに、第１の検出部および第２の検出部を設ける基板を共通化することで、基板の数を低減することができる。
【００１２】
また、前記第１の検出部は前記第２の検出部であってもよい。
【００１３】
このようにすれば、必要なメカ機構の材料および配置場所を低減できる変位部材の変位判断、および第２の検出部への人体の接近又は接触によって画像処理を行うことができるとともに、第１の検出部と第２の検出部とを１つの検出部とすることで、必要な信号線の本数を低減することができる。
【００１４】
また、前記第１の検出部は、設置箇所の静電容量に対応した出力値を出力するための検知板を複数箇所に有しており、前記制御部は、前記第１の画像処理において、前記複数箇所の前記検知板によって出力される前記複数箇所の全ての出力値が前記第１の条件を満たす場合、前記変位部材が前記第１の位置であるとして前記画像処理部を制御し、前記複数箇所の前記検知板によって出力される前記複数箇所の出力値のうちの少なくとも１つの出力値が前記第１の条件を満たさない場合、前記変位部材が前記第２の位置であるとして前記画像処理部を制御するものであってもよい。
【００１５】
このようにすれば、必要なメカ機構の材料および配置場所を低減できる変位部材の変位判断、および第２の検出部への人体の接近又は接触によって画像処理を行うことができるとともに、複数箇所に設けられた検知板の出力値に基づいて変位判断を行うことで、変位部材の位置を誤判断する可能性を低減できる。
【００１６】
また、前記複数箇所のうちの少なくとも１つの箇所は、前記複数箇所のうちの他の全ての箇所と所定距離離れているものであってもよい。
【００１７】
このようにすれば、必要なメカ機構の材料および配置場所を低減できる変位部材の変位判断、および第２の検出部への人体の接近又は接触によって画像処理を行うことができるとともに、少なくとも１つの箇所が複数箇所のうちの他の全ての箇所と所定距離離れている複数箇所に設けられた検知板の出力値によって変位判断を行うことで、変位部材の位置を誤判断する可能性を低減できる。
【００１８】
また、前記誘電部材は、人体の誘電率よりも大きい誘電率となる部材であり、前記制御部は、前記第１の検出部への前記人体の接近又は接触がなされておらず且つ前記変位部材が前記第２の位置であることにより前記第１の検出部によって出力される出力値を基準値とした場合に、前記変位部材が前記第１の位置であることにより前記第１の検出部によって出力される出力値よりも小さく、前記第１の検出部への前記人体の接近又は接触により前記第１の検出部によって出力される出力値よりも大きい、第１の閾値と、前記第１の検出部への前記人体の接近又は接触により前記第１の検出部によって出力される出力値よりも小さく、前記基準値よりも大きい、第２の閾値と、前記第１の検出部への前記人体の接近又は接触がなされておらず且つ前記変位部材が前記第１の位置であることにより前記第１の検出部によって出力される出力値を基準値とした場合に、前記変位部材が前記第２の位置であることにより前記第１の検出部によって出力される出力値よりも大きく、前記基準値よりも小さい、第３の閾値と、によって、前記第１の条件は、前記基準値が、前記変位部材が前記第１の位置である際の出力値である場合には、前記第３の閾値以上であるとし、前記基準値が、前記変位部材が前記第２の位置である際の出力値である場合には、前記第１の閾値以上であるとして前記第１の画像処理を行い、前記第２の条件は、前記第２の閾値以上かつ前記第１の閾値未満であるとして前記第２の画像処理を行うものであってもよい。
【００１９】
このようにすれば、人体の誘電率よりも誘電部材の誘電率の方が大きい場合に、第１の閾値、第２の閾値および第３の閾値と出力値との大小関係を判断することにより、変位部材の位置、および第１の検出部への人体の接近度合いによって画像処理を切り分けることができる。
【００２０】
また、前記誘電部材は、人体の誘電率よりも小さい誘電率となる部材であり、前記制御部は、前記第１の検出部への前記人体の接近又は接触がなされておらず且つ前記変位部材が前記第２の位置であることにより前記第１の検出部によって出力される出力値を基準値とした場合に、前記第１の検出部への前記人体の接近又は接触により前記第１の検出部によって出力される出力値よりも小さく、前記変位部材が前記第１の位置であることにより前記第１の検出部によって出力される出力値よりも大きい、第４の閾値と、前記変位部材が前記第１の位置であることにより前記第１の検出部によって出力される出力値よりも小さく、前記基準値よりも大きい、第５の閾値と、前記第１の検出部への前記人体の接近又は接触がなされておらず且つ前記変位部材が前記第１の位置であることにより前記第１の検出部によって出力される出力値を基準値とした場合に、前記変位部材が前記第２の位置であることにより前記第１の検出部によって出力される出力値よりも大きく、前記基準値よりも小さい、第６の閾値と、によって、前記第１の条件は、前記基準値が、前記変位部材が前記第１の位置である際の出力値である場合には、前記第６の閾値以上であるとし、前記基準値が、前記変位部材が前記第２の位置である際の出力値である場合には、前記第５の閾値以上かつ前記第４閾値未満であるとして前記第１の画像処理を行い、前記第２の条件は、前記第４の閾値以上であるとして前記第２の画像処理を行うものであってもよい。
【００２１】
このようにすれば、人体の誘電率よりも誘電部材の誘電率の方が大きい場合に、第４の閾値、第５の閾値および第６の閾値と出力値との大小関係を判断することにより、変位部材の位置、および第１の検出部への人体の接近度合いによって画像処理を切り分けることができる。
【００２２】
また、前記誘電部材は、人体の誘電率よりも大きい誘電率となる部材であり、前記制御部は、前記第１の検出部への前記人体の接近又は接触がなされていないことにより前記第１の検出部によって出力される出力値と前記変位部材が前記第１の位置であることにより前記第１の検出部によって出力される出力値との和より大きく、前記第１の検出部への前記人体の接近又は接触により前記第１の検出部によって出力される出力値と前記変位部材が前記第１の位置であることにより前記第１の検出部によって出力される出力値との和より小さい、第７の閾値と、前記第１の検出部への前記人体の接近又は接触により前記第１の検出部によって出力される出力値と前記変位部材が前記第２の位置であることにより前記第１の検出部によって出力される出力値との和より大きく、前記第１の検出部への前記人体の接近又は接触がなされていないことにより前記第１の検出部によって出力される出力値と前記変位部材が前記第１の位置であることにより前記第１の検出部によって出力される出力値との和より小さい、第８の閾値と、前記第１の検出部への前記人体の接近又は接触がなされていないことにより前記第１の検出部によって出力される出力値と前記変位部材が前記第２の位置であることにより前記第１の検出部によって出力される出力値との和より大きく、前記第１の検出部への前記人体の接近又は接触により前記第１の検出部によって出力される出力値と前記変位部材が前記第２の位置であることにより前記第１の検出部によって出力される出力値との和より小さい、第９の閾値と、によって、前記第１の条件は、前記第８の閾値以上であるとして前記第１の画像処理を行い、前記第２の条件は前記第７の閾値以上、もしくは前記第８の閾値未満かつ前記第９の閾値以上であるとして前記第２の画像処理を行うものであってもよい。
【００２３】
このようにすれば、人体の誘電率よりも誘電部材の誘電率の方が大きい場合に、第７の閾値、第８の閾値および第９の閾値と出力値との大小関係を判断することにより、変位部材の位置、および第１の検出部への人体の接近度合いによって画像処理を切り分けることができる。
【００２４】
また、前記誘電部材は、人体の誘電率よりも小さい誘電率となる部材であり、前記制御部は、前記第１の検出部への前記人体の接近又は接触により前記第１の検出部によって出力される出力値と前記変位部材が前記第２の位置であることにより前記第１の検出部によって出力される出力値との和より大きく、前記第１の検出部への前記人体の接近又は接触により前記第１の検出部によって出力される出力値と前記変位部材が前記第１の位置であることにより前記第１の検出部によって出力される出力値との和より小さい、第１０の閾値と、前記第１の検出部への前記人体の接近又は接触がなされていないことにより前記第１の検出部によって出力される出力値と前記変位部材が前記第１の位置であることにより前記第１の検出部によって出力される出力値との和より大きく、前記第１の検出部への前記人体の接近又は接触がなされていることにより前記第１の検出部によって出力される出力値と前記変位部材が前記第２の位置であることにより前記第１の検出部によって出力される出力値との和より小さい、第１１の閾値と、前記第１の検出部への前記人体の接近又は接触がなされていないことにより前記第１の検出部によって出力される出力値と前記変位部材が前記第２の位置であることにより前記第１の検出部によって出力される出力値との和より大きく、前記第１の検出部への前記人体の接近又は接触がなされていないことにより前記第１の検出部によって出力される出力値と前記変位部材が前記第１の位置であることにより前記第１の検出部によって出力される出力値との和より小さい、第１２の閾値と、によって、前記第１の条件は前記第１０の閾値以上、もしくは前記第１１の閾値未満かつ前記第１２の閾値以上であるとして前記第１の画像処理を行い、前記第２の条件は前記第１１の閾値以上であるとして前記第２の画像処理を行うものであってもよい。
【００２５】
このようにすれば、人体の誘電率よりも誘電部材の誘電率の方が小さい場合に、第１０の閾値、第１１の閾値および第１２の閾値と出力値との大小関係を判断することにより、変位部材の位置、および第１の検出部への人体の接近度合いによって画像処理を切り分けることができる。
【００２６】
また、前記制御部は、前記第２の検出部の全てもしくは一部について、前記第２の画像処理を行わない操作無効状態とする操作無効処理を行い、前記第２の検出部の全てもしくは一部が前記操作無効状態である場合には、前記第２の検出部のうちの前記操作無効状態である部分の静電容量に対応した出力値により前記第１の画像処理を行うものであってもよい。
【００２７】
このようにすれば、第２の画像処理を行わない操作無効状態の第２の検出部において変位判断を行うことで、変位部材の位置を誤判断する可能性を低減できる。
【００２８】
また、この目的を達成するためになされた本発明の読取装置は、装置本体と、前記装置本体に設けられ、原稿を載置可能な載置部と、前記載置部に対して開位置と閉位置とに変位する蓋部材と、前記装置本体および前記蓋部材の少なくともいずれか一方に設けられる誘電部材と、前記蓋部材が前記閉位置である場合に前記誘電部材に接近又は接触する位置に設けられ、前記誘電部材との距離によって変化する静電容量に対応した出力値を出力する検出部と、画像処理として、前記載置部に載置した前記原稿の読取を行う読取部を含む画像処理部と、制御部と、を備え、前記制御部は、前記検出部によって出力される出力値が第１の条件を満たす場合、前記蓋部材が前記閉位置であるとして前記画像処理部を制御し、前記検出部によって出力される出力値が前記第１の条件を満たさない場合、前記蓋部材が前記開位置であるとして前記画像処理部を制御する第１の処理を行うことを特徴とする。
【００２９】
このようにすれば、蓋部材の開閉判断に関して必要なメカ機構の材料および配置場所を低減できる。
【００３０】
また、前記検出部は、設置箇所の静電容量に対応した出力値を出力する検知板を複数箇所に有しており、前記制御部は、前記検出部の前記検知板によって出力される出力値が、前記検出部への人体の接近又は接触に伴い誘電が生じることにより満たされる条件である第２の条件を満たす場合、前記検出部へ人体が接近又は接触したとして前記画像処理部を制御する第２の処理を行い、前記第１の処理において、前記読取部による前記読取中でない場合には、前記複数箇所のうちの第１の複数箇所に設けられた前記検知板によって出力される全ての出力値が前記第１の条件を満たす場合、前記蓋部材が前記閉位置であるとして前記画像処理部を制御し、前記第１の複数箇所の前記検知板によって出力される出力値のうちの少なくとも１つの出力値が前記第１の条件を満たさない場合、前記蓋部材が前記開位置であるとして前記画像処理部を制御し、前記読取部による前記読取中である場合には、前記第１の複数箇所よりも多い箇所である第２の複数箇所に設けられた前記検知板によって出力される全ての出力値が前記第１の条件を満たす場合、前記蓋部材が前記閉位置であるとして前記画像処理部を制御し、前記第２の複数箇所の出力値のうちの少なくとも１つの出力値が前記第１の条件を満たさない場合、前記蓋部材が前記開位置であるとして前記画像処理部を制御するものであってもよい。
【００３１】
このようにすれば、検出部への人体の接近又は接触によって画像処理部を制御する構成において、読取中に、より多い箇所の出力値に基づいて開閉判断を行うことで、読取中の蓋部材の位置を誤判断する可能性を低減でき、原稿の読取を失敗する可能性等を低減できる。
【００３２】
また、前記検出部は、設置箇所の静電容量に対応した出力値を出力する検知板を、中止部を含む複数箇所に有しており、前記制御部は、前記読取部による前記読取中に、前記中止部の前記検知板によって出力される出力値が前記検出部への人体の接近又は接触に伴い誘電が生じることにより満たされる条件である第２の条件を満たす場合、前記中止部へ人体が接近又は接触したとして前記読取部による前記読取を中止する中止処理を行い、前記読取部による前記読取中である場合には、前記第１の処理において、前記複数箇所のうちの前記中止部を含まない箇所の前記検知板によって出力される全ての出力値が前記第１の条件を満たす場合、前記蓋部材が前記閉位置であるとして、前記画像処理部を制御し、前記複数箇所のうちの前記中止部を含まない箇所の出力値のうちの少なくとも１つの前記検知板によって出力される出力値が前記第１の条件を満たさない場合、前記蓋部材が前記開位置であるとして、前記画像処理部を制御するものであってもよい。
【００３３】
このようにすれば、読取中に、人体の接近又は接触によって読取を中止する中止部によって蓋部材の開閉判断を行わないことで、読取中の蓋部材の位置を誤判断する可能性を低減でき、原稿の読取を失敗する可能性等を低減できる。
【発明の効果】
【００３４】
本発明によれば、変位部材の変位判断に関して必要なメカ機構の材料および配置場所を低減できる。
【図面の簡単な説明】
【００３５】
【図１】本発明の複合機１の原稿カバー４が開位置にあるときの概略構成を示す斜視図である。
【図２】本発明の複合機１の電気的構成を示すブロック図である。
【図３】本発明の複合機１の原稿カバー４が閉位置にあるときの操作パネル６と、原稿カバー４の概略構成を示す上面図である。
【図４】本発明の複合機１の操作部７及び信号生成回路１７の概略構成を示す図である。
【図５】操作部７の概略断面図である。
【図６】操作部７の基板３０上に配置される電極３１と電極３１に関する構成の概略図である。
【図７】（ａ）は、人体の誘電率よりも誘電部材９Ａの誘電率の方が大きい場合に、タッチボタン４０に人体が接近および接触しておらず且つ原稿カバー４が開位置にある状態で各電極３１が出力する電荷量値を変換した電圧値を０とした際の、操作部７および信号生成回路１７によって出力される電圧値と、第１の閾値ｌ、第２の閾値ｍとの関係を示す概略的なグラフであり、（ｂ）は、タッチボタン４０に人体が接近および接触しておらず且つ原稿カバー４が閉位置にある状態で各電極３１が出力する電荷量値を変換した電圧値を０とした際の、操作部７および信号生成回路１７によって出力される電圧値と、第２の閾値ｍ、第３の閾値ｎとの関係を示す概略的なグラフである。
【図８】本発明の複合機１が実行する読取機能のメイン処理を表すフローチャートである。
【図９】メイン処理中の読取準備処理を表すフローチャートである。
【図１０】メイン処理中の読取処理を表すフローチャートである。
【図１１】読取準備処理及び読取処理中のカバー開閉状態取得処理を表すフローチャートである。
【図１２】（ａ）は、人体の誘電率よりも誘電部材９Ａの誘電率の方が小さい場合に、タッチボタン４０に人体が接近および接触しておらず且つ原稿カバー４が開位置にある状態で各電極３１が出力する電荷量値を変換した電圧値を０とした際の、操作部７および信号生成回路１７によって出力される電圧値と、第４の閾値ｌ´、第５の閾値ｍ´との関係を示す概略的なグラフであり、（ｂ）は、タッチボタン４０に人体が接近および接触しておらず且つ原稿カバー４が閉位置にある状態で各電極３１が出力する電荷量値を変換した電圧値を０とした際の、操作部７および信号生成回路１７によって出力される電圧値と、第４の閾値ｌ´、第６の閾値ｎ´との関係を示す概略的なグラフである。
【図１３】人体の誘電率よりも誘電部材９Ａの誘電率の方が大きい場合の、操作部７および信号生成回路１７によって出力される電圧値と、第７の閾値ｏ、第８の閾値ｐ、第９の閾値ｑとの関係を示す概略的なグラフである。
【図１４】人体の誘電率よりも誘電部材９Ａの誘電率の方が小さい場合の、操作部７および信号生成回路１７によって出力される電圧値と、第１０の閾値ｏ´、第１１の閾値ｐ´、第１２の閾値ｑ´との関係を示す概略的なグラフである。
【図１５】本発明の複合機１の操作部７及び信号生成回路１７の概略構成を示す図４とは異なる図である。
【図１６】本発明の複合機１の原稿カバー４が閉位置にあるときの操作パネル６と、原稿カバー４の概略構成を示す図３と異なる上面図である。
【図１７】本発明の複合機１の表示部８が回動可能である構成において、表示部８が操作パネル６に対して非操作位置にあるときの概略構成を示す斜視図である。
【図１８】本発明の複合機１の表示部８が回動可能である構成において、表示部８が操作パネル６に対して操作位置にあるときの概略構成を示す斜視図である。
【図１９】本発明の複合機１の表示部８が回動可能である構成において、操作パネル６および原稿カバー４の概略構成を示す図である。
【図２０】本発明の複合機１の表示部８が回動可能である構成において、操作パネル６を前方から見た場合の概略断面図である。
【発明を実施するための形態】
【００３６】
以下、本発明の実施の形態について図面を参照して説明する。
【００３７】
以下、本発明を具体化した第１実施例から第９実施例を、図面を参照しつつ説明する。
【００３８】
＜第１実施例＞
第１実施例を、図１から図１１を参照しつつ説明する。
【００３９】
（１）複合機の機械的構成
図１は本発明の複合機１の原稿カバー４が開位置にあるときの概略構成を示す斜視図である。
【００４０】
図１に示すように、複合機１（画像処理装置、読取装置の一例）は、装置本体２（装置本体の一例）、原稿載置部３（載置部の一例）、原稿カバー４（変位部材、蓋部材の一例）、操作パネル６、誘電部９等を備えている。
【００４１】
複合機１は、後述の読取部５による読取機能を始め、コピー機能やファクシミリ機能など、複数の機能を実行可能である。
【００４２】
原稿載置部３は、図１に示すように、装置本体２の上面に設けられた平面部分であって、図示しない原稿を載置可能になっている。原稿載置部３は、ガラス板等の透明の部材等によって構成される。
【００４３】
原稿カバー４は、装置本体２にヒンジ部４Ａを介して設けられており、ヒンジ部４Ａを中心として装置本体２に対して上下方向に回動することで、原稿載置部３に対して、図１のように原稿載置部３を開放する位置である開位置（第２の位置、および開位置の一例）および、原稿載置部３を塞ぐ位置である閉位置（第１の位置、および閉位置の一例）（図３参照）に変位可能となっている。
【００４４】
操作パネル６は、装置本体２の前面に設けられている。より詳しくは、原稿カバー４を閉位置としたときに操作パネル６の後方の縁が原稿カバー４の前方の縁に接する位置に設けられており（図３参照）、ユーザの操作の受付や、ユーザへの情報の表示等を行う。なお、原稿カバー４を閉位置としたときに操作パネル６の後方と原稿カバー４の前方とが重なるような構成であってもよい。
【００４５】
誘電部９は、図１、図２に示すように、原稿カバー４の、原稿カバー４が開位置から閉位置に変位する場合に操作パネル６に接近し閉位置において接触する部分に設けられており、後述の誘電部材９Ａ（誘電部材の一例）（図３参照）が複数個埋め込まれている。なお、誘電部材９Ａは例えばエチレングリコールや酸化チタン等から構成され、誘電部材９Ａの誘電率は人体の誘電率とは異なるものとする。
【００４６】
（２）複合機の電気的構成
図２は、複合機１の電気的構成を示すブロック図である。
【００４７】
複合機１は、読取部５（読取部、画像処理部の一例）、画像形成部１０（画像処理部の一例）、操作パネル６、制御部１３（制御部の一例）、原稿検出センサ１４、信号生成回路１７及び通信部２１等を備える。
【００４８】
制御部１３は、図示しないＲＯＭや、ＲＡＭ等のメモリを備え、メモリから読み出したプログラムを実行し、読取部５、画像形成部１０、操作パネル６等の複合機１の各部の制御を行う。なお、メモリには、後述の「第１のセンサ」、「原稿カバー開閉フラグ」等の各種パラメータが格納されている。
【００４９】
読取部５は、装置本体２内の原稿載置部３の下部に設けられ、原稿載置部３等に載置された原稿の画像等を、制御部１３によって制御されて、図示しないＣＩＳ等で読み取る。そして読み取った画像に応じた読取データを生成する。この読取部５によって、制御部１３は後述の読取機能を実行する。
【００５０】
操作パネル６は、後述の操作部７及び表示部８を有し、操作部７で受け付けたユーザの操作等に応じて後述の信号生成回路１７への信号の伝達や、制御部１３からの信号に基づいて表示部８への表示等を行う。
【００５１】
画像形成部１０は、制御部１３によって制御されて、画像データに基づく画像（モノクロ画像、カラー画像）を、例えば電子写真方式またはインクジェット方式により図示しないシートに印刷する。なお、上記画像データには、読取部５によって生成された読取データや、後述の通信部２１によって通信される図示しない外部の装置（例えばパーソナルコンピュータ、ファクシミリ装置、記憶装置など）からの印刷データ（ファクシミリデータを含む）などが含まれる。
【００５２】
原稿検出センサ１４は、図示しないセンサによって原稿載置部３上の原稿の有無に応じた２通りの信号を、制御部１３に伝達する。
【００５３】
信号生成回路１７は、汎用のＣＰＵやＡＳＩＣ（Application Specific Integrated Circuit）等により構成され、操作部７からユーザによる操作部７の操作等に応じた信号を受け付けて、信号変換等を行い、制御部１３に伝達する。
【００５４】
通信部２１は、図示しない通信回線を介して外部の装置に接続され、当該外部の装置との間で相互のデータ通信を可能にする。
【００５５】
（３）操作パネルの構成
以下では、操作パネル６のより詳細な構成について説明する。
【００５６】
図３は、本発明の複合機１の原稿カバー４が閉位置にあるときの操作パネル６と原稿カバー４の第１実施例における概略構成を示す上面図である。
【００５７】
操作パネル６は、操作部７及び表示部８（画像処理部の一例）等を有する。
【００５８】
操作部７は、操作パネル６の右方に位置し、ユーザが操作可能な複数のタッチボタン４０を有する。より詳しくは、０〜９の数字及び２個の記号（＊，♯）による電話型のテンキー配列の１２個のタッチボタン４０ｂ〜４０ｄ、４０ｆ〜４０ｈ、４０ｊ〜４０ｌ、４０ｎ〜４０ｐと、前後方向縦１列に配列された３個のタッチボタン４０ａ、４０ｅ、４０ｉが設けられている。なお、以下符号による区別が必要でない場合には適宜符合を省略する。
【００５９】
テンキー配列の１２個のタッチボタン４０ｂ〜４０ｄ、４０ｆ〜４０ｈ、４０ｊ〜４０ｌ、４０ｎ〜４０ｐは、ユーザの操作によって０〜９の数字若しくは記号（＊，♯）を入力するためのものであり、例えば、読取枚数の設定や、電話番号を入力する際などに操作される。
【００６０】
また、縦１列に配列された３個のタッチボタン４０ａ、４０ｅ、４０ｉは、ユーザの操作によって複合機１に各種の動作を実行させるためのものである。具体的には、最も上方に位置する中止ボタン４０ａは、ユーザに操作されることによって、読取部５による読取を中止させる等、各種進行中の処理を中止させる指示を制御部１３に伝達する。真ん中に位置するホームボタン４０ｅは、ユーザに操作されることによって、表示部８の表示を最上層のメニュー画面に移行させる指示を制御部１３に伝達する。最も下方に位置するリターンボタン４０ｉは、ユーザに操作されることによって、表示部８に表示されているメニュー画面を１階層前の画面に戻す指示を制御部１３に伝達する。
【００６１】
各タッチボタン４０は、各タッチボタン４０に対応して設けられた領域であるタッチエリア４１内にユーザの指等が接触することによって操作可能である。より具体的には、タッチエリア４１内にユーザの指等が接触することによって、信号が生成され、制御部１３に伝達される。制御部１３は、伝達される信号に基づき、読取を中止させたり、表示部８の表示を最上層のメニュー画面に移行させたり、入力された電話番号に発呼させたりする。
【００６２】
各タッチボタン４０に対応するタッチエリア４１は、後述の電極３１により四角形形状に形成されている。
【００６３】
なお、第１実施例においては、原稿カバー４の誘電部９には３つの誘電部材９Ａが設けられている。そして「１」の数字で示されるタッチボタン４０ｂに対応するタッチエリア４１ｂ、「２」の数字で示されるタッチボタン４０ｃに対応するタッチエリア４１ｃ、「３」の数字で示されるタッチボタン４０ｄに対応するタッチエリア４１ｄは、他のタッチエリア４１に比べ、後方向に延びており、面積が大きくなっている。これら３つのタッチエリア４１ｂ、４１ｃ、４１ｄは、図３に示すように、原稿カバー４が閉位置である場合に、原稿カバー４に設けられた３つの誘電部材９Ａにそれぞれ接近する位置に設けられており、原稿カバー４が閉位置である場合には、タッチエリア４１ｂ、４１ｃ、４１ｄと、それぞれ対応する誘電部材９Ａとの距離は５ｍｍ未満となっている。なお、原稿カバー４が閉位置である場合に、タッチエリア４１ｂ、４１ｃ、４１ｄと、それぞれ対応する誘電部材９Ａとが重なる構成であってもよい。以下「「ｘ」の数字・記号で示されるタッチボタン」を「「ｘ」のタッチボタン」と記載する場合がある。
【００６４】
操作部７の右部には、機械式のスイッチである、電源ボタン３８が設けられている。電源ボタン３８は、ユーザによって押下されることにより、複合機１の電源をオンオフする。
【００６５】
表示部８は、操作パネル６の中央部に位置するタッチパネルであり、液晶パネルと、液晶パネルの背面側から光を照射する蛍光ランプやＬＥＤ等の光源と、液晶パネルの表面に貼り合わされた接触感知膜とを有している。これによって各種の設定画面や装置の動作状態等の表示や操作部７の操作に応じた表示の切り替え、および、ユーザからの操作の受付等の各種画像処理を行う。
【００６６】
（４）タッチボタンに関する構成及び制御
以下では、上述のタッチボタン４０に関する構成及び制御についてより詳細
に説明を行う。
【００６７】
図４は、本発明の複合機１の操作部７及び信号生成回路１７の概略構成を示す図である。
【００６８】
図５は、操作部７の概略断面図である。
【００６９】
図６は、操作部７の基板３０上に配置される電極３１と、電極３１に関わる構成を表す概略図である。
【００７０】
操作部７は、静電容量方式のタッチパネルであり、図４等に示すように、基板３０、基板３０に設けられた複数の電極３１（検知板の一例）、各電極３１に接続される複数の信号線３２等によって構成されている。
【００７１】
基板３０は、図５に示すように、上述のタッチボタン４０の操作内容に対応した数字等の記号３４Ａが記されている透明のトップコート３４によって覆われており、記された記号３４Ａと対向する位置には電極３１が配設されている。電極３１と記号３４Ａとによって、１つのタッチボタン４０が構成されている。
【００７２】
各タッチボタン４０に対応する電極３１は、図６に示すように台形形状であり、例えば銅箔等で構成されている。斜辺を対向させた状態で並べられた２個の電極３１によって、１個のタッチボタン４０に対応するタッチエリア４１が形成されている。なお、本実施例においては、タッチエリア４１ｂ、４１ｃ、４１ｄをなす電極３１については、他の電極３１よりも面積が大きく構成されている。
【００７３】
トップコート３４と電極３１との間には、発光部材３５が挟まれている。発光部材３５の近傍には、ＬＥＤ３６が配設されており、制御部１３によってＬＥＤ３６が点灯制御されることにより、発光部材３５が発光する。これにより、複数のタッチボタン４０のうちの必要なもののみを操作部７に表示することが可能となっている。
【００７４】
詳しくは、例えば、制御部１３によって全てのタッチボタン４０に対応するＬＥＤ３６が点灯されることで、図３に示すように、全てのタッチボタン４０が表示されるとともに、入力が有効とされる。また、中止ボタン４０ａ以外の全てのタッチボタン４０が必要無い場合には、中止ボタン４０ａ以外の全てのタッチボタン４０に対応するＬＥＤ３６が消灯されることで、中止ボタン４０ａ以外の全てのタッチボタン４０が非表示とされるとともに、入力が無効とされる。このようにして、必要のないタッチボタン４０への誤入力を防止することが可能となる。
【００７５】
基板３０は、縦４列、横４列に構成されており、３２個の電極３１によって、１６個のタッチエリア４１が形成されている。
【００７６】
１６個のタッチエリア４１には、テンキー配列の３列×４行のタッチボタン４０と、テンキー配列のタッチボタン４０の左端の列の左隣であって、３個の機能に対応した１列×３行のタッチボタン４０とが位置している。より具体的には、最も上の行では、最も左のタッチエリア４１ａから順に、中止ボタン４０ａ、「１」のタッチボタン４０ｂ、「２」のタッチボタン４０ｃ、「３」のタッチボタン４０ｄが、それぞれ、位置している。上から２番目の行では、最も左のタッチエリア４１ｅから順に、ホームボタン４０ｅ、「４」のタッチボタン４０ｆ、「５」のタッチボタン４０ｇ、「６」のタッチボタン４０ｈが、それぞれ位置している。上から３番目の行では、最も左のタッチエリア４１ｉから順に、リターンボタン４０ｉ、「７」のタッチボタン４０ｊ、「８」のタッチボタン４０ｋ、「９」のタッチボタン４０ｌが、それぞれ位置している。最も下の行では、左から２番目のタッチエリア４１ｎから順に、「＊」のタッチボタン４０ｎ、「０」のタッチボタン４０ｏ、「♯」のタッチボタン４０ｐが、それぞれ位置している。なお、最も下の行の最も左のタッチエリア４１ｍに位置するタッチボタン４０ｍには、ユーザの操作等に対応する動作が割り当てられておらず、記号３４Ａも記されていない。
【００７７】
信号線３２は、各電極３１に接続されている。より具体的には、各信号線３２は、タッチエリア４１の各配列方向に対応して配線されており、タッチエリア４１の４つの列と４つの行とに対応するように全部で８本が配線されている。
【００７８】
なお、８本の信号線３２を区別する際には、最も上の行のタッチエリア４１に対応する信号線３２から最も下の行のタッチエリア４１に対応する信号線３２までを順に、信号線３２ａ、３２ｂ、３２ｃ、３２ｄと、それぞれ記載し、最も左の列のタッチエリア４１に対応する信号線３２から最も右の列のタッチエリア４１に対応する信号線３２までを順に、信号線３２ｈ、３２ｇ、３２ｆ、３２ｅと、それぞれ記載する場合がある。
【００７９】
各信号線３２は、対応する列、若しくは行に位置するタッチエリア４１の２個の電極３１の一方に接続されている。つまり、タッチエリア４１の各行に対応する各信号線３２ａ〜３２ｄは、各行に位置する４個のタッチエリア４１ａ〜４１ｄ、４１ｅ〜４１ｈ、４１ｉ〜４１ｌ、４１ｍ〜４１ｐの各々の電極３１に接続され、タッチエリア４１の各列に対応する各信号線３２ｅ〜３２ｈは、各列に位置する４個のタッチエリア４１ｄ・４１ｈ・４１ｌ・４１ｐ、４１ｃ・４１ｇ・４１ｋ・４１ｏ、４１ｂ・４１ｆ・４１ｊ・４１ｎ、４１ａ・４１ｅ・４１ｉ・４１ｍの各々の電極３１に接続されている。
【００８０】
信号線３２ａ〜３２ｈは、信号生成回路１７のポートＯＵＴ１〜ＯＵＴ８に接続され、各電極３１から出力される電荷量値を信号生成回路１７に伝達する。より詳しくは、ユーザの指等の入力媒体が１つのタッチエリア４１に接近すると、２個の電極３１が、接近する人体によって生じる静電容量の変化に応じた電荷量を示す値である電荷量値を各電極３１に接続された異なる２本の信号線３２に出力する。そして、電荷量値は、異なる２本の信号線３２によって信号生成回路１７に入力される。なお、１つのタッチエリア４１に対応する２個の電極３１がそれぞれ対応する信号線３２に出力する電荷量値は、同一の値であるとする。また、複数個のタッチエリア４１に入力媒体が接近した場合においては、各タッチエリア４１に対応する各電極３１がそれぞれ対応する信号線３２に電荷量値を出力し、それらの電荷量値の和が、各信号線３２によって信号生成回路１７に出力される。
【００８１】
信号生成回路１７に出力された電荷量値は、信号生成回路１７内の増幅器等によって電圧値（出力値の一例）に変換され、電荷量値を出力した信号線３２の情報とともに、制御部１３に出力される。なお、この電圧値は、タッチボタン４０に人体が接近及び接触しておらず原稿カバー４が閉位置もしくは開位置にある状態で、各電極３１が出力する電荷量値を変換した電圧値を０としたときの値（基準値の一例）に対する相対的な値で出力される。
【００８２】
制御部１３では、入力された電圧値と、電荷量値を出力した信号線３２の情報とに基づいて、何れのタッチエリア４１が押下されたかが判断される。つまり、何れのタッチボタン４０が押下されたかが判断される。
【００８３】
より具体的には、例えば、信号線３２ａと信号線３２ｈから電荷量値が出力され、それぞれ出力された電荷量値を変換した電圧値が、それぞれ所定の電圧値以上且つ所定の電圧値の２倍未満であったとする。この場合には、信号線３２ａに接続された１つの電極３１と、信号線３２ｈに接続された１つの電極３１とを有する中止ボタン４０ａのタッチエリア４１ａにユーザの指等の入力媒体が接近したとして中止ボタン４０ａが押下されたと制御部１３によって判断される。
【００８４】
また、例えば、信号線３２ａと信号線３２ｇと信号線３２ｈとから電荷量値が出力され、信号線３２ｇと信号線３２ｈとからそれぞれ出力された電荷量値を変換した電圧値が、それぞれ所定の電圧値以上且つ所定の電圧値の２倍未満であり、かつ、信号線３２ａから出力された電荷量値を変換した電圧値が、所定の電圧値の２倍以上且つ所定の電圧値の３倍未満であったとする。この場合には、信号線３２ａに接続される電極３１と信号線３２ｈに接続される電極３１とを有する中止ボタン４０aのタッチエリア４１ａと、信号線３２ａに接続される電極３１と信号線３２ｇに接続される電極３１とを有する「１」のタッチボタン４０ａに対応するタッチエリア４１ａと、が押下されたと制御部１３によって判断される。なお、以下「「ｘ」のタッチボタン」に対応する「タッチエリア」を「「ｘ」のタッチエリア」と記載する場合がある。
【００８５】
ところで第１実施例においては、特に「１」のタッチエリア４１ｂ、「２」のタッチエリア４１ｃ、「３」のタッチエリア４１ｄをなす電極３１については、ユーザの指等の人体の接近によって生じる静電容量の変化に応じた電荷量値を出力するだけではなく、誘電部材９Ａが設けられた原稿カバー４の接近によっても、誘電部材９Ａの接近によって生じる静電容量の変化に応じた電荷量値を出力する。
【００８６】
制御部１３における上記何れのタッチエリア４１がユーザによって押下されたかの判断と同様に、この３つのタッチエリア４１ｂ、４１ｃ、４１ｄの電極３１から出力される電荷量値を信号生成回路１７で変換した電圧値と、電荷量値を出力した信号線３２の情報に基づいて、制御部１３では原稿カバー４が開位置にあるか閉位置にあるかの判断が行われる。この原稿カバー４が閉位置か開位置かの具体的判断については、後に（５）等において詳述する。
【００８７】
以上より、第１実施例においては、各タッチボタン４０とそれに関連する基板３０、電極３１、信号線３２等の操作部７における各構成および信号生成回路１７は、ユーザの指等の人体の接近によって変化する静電容量に対応した電圧値を出力する。
【００８８】
また、特に「１」のタッチボタン４０ｂ、「２」のタッチボタン４０ｃ、「３」のタッチボタン４０ｄとそれに関連する基板３０、電極３１、信号線３２等の操作部７における各構成および信号生成回路１７は、原稿カバー４の接近によって変化する静電容量に対応した電圧値を出力する。
【００８９】
第１実施例における「１」のタッチボタン４０ｂ、「２」のタッチボタン４０ｃ、「３」のタッチボタン４０ｄとそれに関連する基板３０、電極３１、信号線３２等の操作部７における各構成および信号生成回路１７は第１の検出部、第２の検出部、および検出部の一例である。また、「１」のタッチボタン４０ｂ、「２」のタッチボタン４０ｃ、「３」のタッチボタン４０ｄが設けられている箇所は複数箇所の一例である。
【００９０】
なお、第１実施例においては、「１」のタッチボタン４０ｂに対応する信号線３２の情報、すなわち信号線３２ａ及び３２ｇを示す値がパラメータ「第１のセンサ」、「２」のタッチボタン４０ｃに対応する信号線３２の情報、すなわち信号線３２ａ及び３２ｆを示す値がパラメータ「第２のセンサ」、「３」のタッチボタン４０ｄに対応する信号線３２の情報、すなわち信号線３２ａ及び３２ｅを示す値がパラメータ「第３のセンサ」として、メモリに保持されている。以下、パラメータ「第ｘのセンサ」（ｘは１、２、３のいずれか）に保持された値に対応する信号線３２の組み合わせに対応するタッチボタン４０を、「「第ｘのセンサ」に対応するタッチボタン」と記載する場合がある。
【００９１】
（５）タッチボタンにより出力される電圧値と複合機１の状態との関係
以下では、パラメータ「第１のセンサ」、「第２のセンサ」、「第３のセンサ」に対応するタッチボタン４０へのユーザの指等の人体及び原稿カバー４の入力媒体の接近に基づいて、電極３１や信号生成部１７等によって制御部１３に出力される電圧値と、複合機１の状態との関係について説明する。
【００９２】
なお、本実施例においては誘電部材９Ａの誘電率は人体の誘電率よりも大きいとする。すなわち、誘電部材９Ａは酸化チタン等で構成されているものとする。
【００９３】
また、電源オン時においては、タッチボタン４０に人体が接近および接触しておらず且つ原稿カバー４が閉位置にある状態であり、この状態において各電極３１が出力する電荷量値を変換した電圧値を０とする。
【００９４】
なお、「第ｘのセンサ」に対応するタッチボタン４０の電極３１が出力した電荷量値を信号生成回路１７によって変換された電圧値を、以下、「「第ｘのセンサ」の電圧値」と記載する場合がある。
【００９５】
図７は人体の誘電率よりも誘電部材９Ａの誘電率の方が大きい場合に、操作部７および信号生成回路１７によって出力される電圧値と、第１の閾値ｌ、第２の閾値ｍ、第３の閾値ｎとの関係を示す概略的なグラフである。特に、（ａ）はタッチボタン４０に人体が接近および接触しておらず且つ原稿カバー４が開位置にある状態で各電極３１が出力する電荷量値を変換した電圧値を０とした際の、相対的な電圧値を示すグラフであり、（ｂ）は、タッチボタン４０に人体が接近および接触しておらず且つ原稿カバー４が閉位置にある状態で各電極３１が出力する電荷量値を変換した電圧値を０としたとき際の、相対的な電圧値を示すグラフである。
【００９６】
図７（ａ）、（ｂ）の左の棒グラフは、原稿カバー４の開閉状態によって変化する、「第ｘのセンサ」の電圧値を表す棒グラフであり、図７（ａ）、（ｂ）の右の棒グラフは、ユーザの指等の人体による操作の有無によって変化する、「第ｘのセンサ」を含むタッチボタン４０の電圧値を表す棒グラフである。
【００９７】
（Ａ１）は、タッチボタン４０に人体が接近および接触しておらず且つ原稿カバー４が開位置にある状態で各電極３１が出力する電荷量値を変換した電圧値を０とした際に、原稿カバー４が閉位置である場合の「第ｘのセンサ」の電圧値である。
【００９８】
（Ａ２）は、タッチボタン４０に人体が接近および接触しておらず且つ原稿カバー４が開位置にある状態で各電極３１が出力する電荷量値を変換した電圧値を０とした際に、原稿カバー４が開位置である場合の「第ｘのセンサ」の電圧値である。
【００９９】
（Ａ３）は、タッチボタン４０に人体が接近および接触していない、すなわち、タッチボタン４０がユーザにより操作がなされていない状態である場合の「第ｘのセンサ」を含むタッチボタン４０の電圧値である。
【０１００】
（Ａ４）は、タッチボタン４０に人体が接近および接触している、すなわち、タッチボタン４０がユーザにより操作がなされている状態である場合の「第ｘのセンサ」を含むタッチボタン４０の電圧値である。
【０１０１】
（Ａ５）は、タッチボタン４０に人体が接近および接触しておらず且つ原稿カバー４が閉位置にある状態で各電極３１が出力する電荷量値を変換した電圧値を０とした際に、原稿カバー４が閉位置である場合の「第ｘのセンサ」の電圧値である。
【０１０２】
（Ａ６）は、タッチボタン４０に人体が接近および接触しておらず且つ原稿カバー４が閉位置にある状態で各電極３１が出力する電荷量値を変換した電圧値を０とした際に、原稿カバー４が開位置である場合の「第ｘのセンサ」の電圧値である。
【０１０３】
第１の閾値ｌ（第１の閾値の一例）は、タッチボタン４０に人体が接近および接触しておらず且つ原稿カバー４が開位置にある状態で各電極３１が出力する電荷量値を変換した電圧値を０としたときの、原稿カバー４が閉位置にある状態の「第ｘのセンサ」の電圧値（Ａ１）よりも小さく、タッチボタン４０がユーザにより操作がなされている状態のタッチボタン４０の電圧値（Ａ４）よりも大きい値として、メモリに保持されている。
【０１０４】
第２の閾値ｍ（第２の閾値の一例）は、タッチボタン４０がユーザにより操作がなされていない状態のタッチボタン４０の電圧値（Ａ３）よりも大きく、タッチボタン４０がユーザにより操作がなされている状態のタッチボタン４０の電圧値（Ａ４）よりも小さい値として、メモリに保持されている。
【０１０５】
第３の閾値ｎ（第３の閾値の一例）は、タッチボタン４０に人体が接近および接触しておらず且つ原稿カバー４が閉位置にある状態で各電極３１が出力する電荷量値を変換した電圧値を０としたときの、原稿カバー４が開位置にある状態の「第ｘのセンサ」の電圧値（Ａ６）よりも大きく、原稿カバー４が閉位置にある状態の「第ｘのセンサ」の電圧値（Ａ５）よりも小さい値として、メモリに保持されている。
【０１０６】
以上によれば、図７（ａ）、（ｂ）の左の棒グラフに示すように、原稿カバー４が閉位置である場合には、タッチボタン４０に人体が接近および接触しておらず且つ原稿カバー４が開位置にある状態で各電極３１が出力する電荷量値を変換した電圧値を０とした際には、「第ｘのセンサ」の電圧値は第１の閾値ｌ以上である。また、タッチボタン４０に人体が接近および接触しておらず且つ原稿カバー４が閉位置にある状態で各電極３１が出力する電荷量値を変換した電圧値を０とした際には、「第ｘのセンサ」の電圧値は第３の閾値ｎ以上である。
【０１０７】
ここで、「原稿カバー４が閉位置であるための条件」（第１の条件の一例）を、タッチボタン４０に人体が接近および接触しておらず且つ原稿カバー４が開位置にある状態で各電極３１が出力する電荷量値を変換した電圧値を０とした際には、「第ｘのセンサ」の電圧値が第１の閾値ｌ以上であると定め、タッチボタン４０に人体が接近および接触しておらず且つ原稿カバー４が閉位置にある状態で各電極３１が出力する電荷量値を変換した電圧値を０とした際には、「第ｘのセンサ」の電圧値が第３の閾値ｎ以上であると定める。
【０１０８】
これにより制御部１３は、「第ｘのセンサ」の電圧値が「原稿カバー４が閉位置であるための条件」を満たす場合、「第ｘのセンサ」において原稿カバー４が閉位置であると判断されると判断し、「原稿カバー４が閉位置であるための条件」を満たさない場合、「第ｘのセンサ」において原稿カバー４が閉位置であると判断されない、すなわち開位置であると判断されると判断する。これら「第ｘのセンサ」において原稿カバー４が閉位置であると判断されるか否かの判断を、１つのセンサについて、もしくは、後述のカバー開閉状態取得処理のように複数のセンサの組み合わせについて行うことにより、原稿カバー４が閉位置であるか開位置であるかが判断される。
【０１０９】
同様に、図７（ａ）、（ｂ）の右の棒グラフに示すように、ユーザによってタッチボタン４０の操作がなされる場合には、タッチボタン４０の電圧値は第２の閾値ｍ以上且つ第１の閾値ｌ未満である。
【０１１０】
ここで、「ユーザにより操作がなされているための条件」（第２の条件の一例）を、タッチボタン４０の電圧値が第２の閾値ｍ以上且つ第１の閾値ｌ未満であると定める。
【０１１１】
これにより、制御部１３は、タッチボタン４０の電圧値が「ユーザにより操作がなされているための条件」を満たす場合、タッチボタン４０がユーザにより操作されたと判断し、「ユーザにより操作がなされているための条件」を満たさない場合、タッチボタン４０がユーザにより操作されていないと判断する。詳しくは後述の読取処理等に記載する。なお、本実施形態では、「第ｘのセンサ」に対応するタッチボタン４０も、「第ｘのセンサ」以外のタッチボタン４０も、同じ「ユーザにより操作がなされているための条件」によってユーザによる操作の有無が判断されるが、異なる条件によってユーザによる操作の有無が判断される構成であってもよい。例えば、「第ｘのセンサ」に対応するタッチボタン４０については上述のように第２の閾値ｍ以上且つ第１の閾値ｌ未満という条件を満たすか否かによって判断され、「第ｘのセンサ」以外のタッチボタン４０については第２の閾値ｍ以上という条件を満たすか否かによって判断される構成であってもよい。
【０１１２】
（６）読取機能
次に以上のように構成された複合機１の読取機能について図面を参照しながら説明する。
【０１１３】
図８は本発明の複合機１が実行する読取機能のメイン処理を表すフローチャートである。
【０１１４】
図９はメイン処理中の読取準備処理を表すフローチャートである。
【０１１５】
図１０はメイン処理中の読取処理を表すフローチャートである。
【０１１６】
図１１は読取準備処理及び読取処理中のカバー開閉状態取得処理を表すフローチャートである。
【０１１７】
以下、制御部１３が各ステップにおいて行う処理について順次説明する。
【０１１８】
＜メイン処理＞
メイン処理は、ユーザによる電源ボタン３８の押下によって複合機１がオン状態となっている時に表示部８の操作等により読取機能が選択されると、制御部１３により、実行される。
【０１１９】
図８に示すように、まずメイン処理が開始されると、制御部１３は、原稿を読み取る際の読み取り設定等の準備を行う図９に示す後述の読取準備処理（Ｓ１００）を行う。
【０１２０】
図９に示す読取準備処理が終了した後、制御部１３は、原稿の画像を読み取る図１０に示す後述の読取処理を行う（Ｓ１１０）。
【０１２１】
図１０に示す読取処理が終了した後、制御部１３は、読取機能を終了し、表示部８に最上層のメニュー画面を表示し、再び各種機能の実行を受け付ける。
【０１２２】
＜読取準備処理＞
図９に示すように読取準備処理において、制御部１３は、まず、読み取り解像度、カラーもしくはモノクロ等の読取設定を行う。すなわち、表示部８に読取設定に関する表示を行うと共に、タッチボタン４０等を介してユーザによる操作を受け付ける（Ｓ２００）。この際、制御部１３は、例えば、「１」のタッチボタン４０ｂの電圧値が「ユーザにより操作がなされているための条件」を満たすならば、ユーザの指等の人体が「１」のタッチエリア４１ｂに接近したとしてユーザによって「１」の入力を指示されたと判断し、選択中の設定項目について「１」の入力に対応する表示を表示部８に行うなど、「１」のタッチボタン４０ｂに割り当てられた指示を実行する。一方、「１」のタッチボタン４０ｂの電圧値が「ユーザにより操作がなされているための条件」を満たさないならば、ユーザの指等の人体が「１」のタッチエリア４１ｂに接近していないとして、ユーザによって「１」の入力を指示されていないと判断し、特に「１」のタッチボタン４０ｂに割り当てられた指示は実行しない。なお、このようにＳ２００で各タッチボタン４０の電圧値が上述の「ユーザにより操作がなされているための条件」を満たすか否かを判断し、各タッチボタン４０の電圧値が上述の「ユーザにより操作がなされているための条件」を満たすと判断する場合に、表示部８に表示を行う処理は、第２の画像処理の一例である。
【０１２３】
制御部１３は、Ｓ２００において操作部７等を介してユーザによる設定完了の操作を受け付ける等して、読取設定を終了した後、「第１のセンサ」、「第２のセンサ」、「第３のセンサ」の電圧値に基づいて、原稿カバー４の開閉状態を表すパラメータである「原稿カバー開閉フラグ」を「閉位置」もしくは「開位置」に設定を行う後述のカバー開閉状態取得処理を行う（Ｓ２０５）。
【０１２４】
制御部１３は、Ｓ２０５の処理によって設定した、原稿カバー４の開閉状態を表すパラメータである「原稿カバー開閉フラグ」が「閉位置」であるか「開位置」であるかを判断することにより、原稿カバー４が閉位置であるか否かを判断する（Ｓ２１０）。
【０１２５】
「原稿カバー開閉フラグ」が「閉位置」であるとして、原稿カバー４が閉位置であると判断する場合（Ｓ２１０：ＹＥＳ）、制御部１３は、読み取る原稿が原稿載置部３に載置され、原稿カバー４が閉位置となっている可能性があるとして、表示部８に「原稿確認中」と表示を行い、原稿が載置部３に載置されているかを原稿検出センサ１４で検知を行う旨をユーザに報知する（Ｓ２２０）。
【０１２６】
一方、「原稿カバー開閉フラグ」が「開位置」であるとして、原稿カバー４が閉位置でないと判断する場合（Ｓ２１０：ＮＯ）、制御部１３は、原稿が原稿載置部３に載置されているか否かに関わらず、原稿カバー４が閉じられていないとして、表示部８に、「原稿をセットしてカバーを閉じて下さい。」と表示を行い（Ｓ２１５）、ユーザに、原稿の原稿載置部３への載置と、原稿カバー４の閉位置への変位を促す旨を報知し、Ｓ２０５に戻る。
【０１２７】
Ｓ２２０で表示部８に表示を行った後、制御部１３は、原稿載置部３に原稿が載置されているか否かを、原稿検出センサ１４によって伝達される信号により、判断する（Ｓ２２５）。
【０１２８】
Ｓ２２５で、原稿検出センサ１４によって、原稿載置部３に原稿が載置されている場合に対応した信号が伝達されたと判断する場合（Ｓ２２５：ＹＥＳ）、制御部１３は、読み取る原稿が原稿載置部３に載置され、原稿カバー４が閉位置となっているとして、表示部８に、「原稿読取」と原稿載置部３の原稿読み取りを開始する旨の表示を行い（Ｓ２３５）、読取準備処理を終了する。
【０１２９】
一方、Ｓ２２５で、原稿検出センサ１４によって、原稿載置部３に原稿が載置されていない場合に対応した信号が伝達されたと判断する場合（Ｓ２２５：ＮＯ）、制御部１３は、読み取る原稿が原稿載置部３に載置されていないとして、表示部８に、「原稿がありません。原稿をセットしてカバーを閉じて下さい。」と表示を行い、ユーザに原稿の原稿載置部３への載置と、原稿カバー４の閉位置への変位を促す旨を報知し（Ｓ２３０）、Ｓ２０５の処理に戻る。
【０１３０】
＜読取処理＞
図１０に示すように読取処理において、制御部１３は、まず、中止ボタン４０ａ以外の全てのタッチボタン４０に対応するＬＥＤ３６を消灯するとともに、ユーザによる操作を受け付けないようにする（Ｓ３００）。
【０１３１】
制御部１３は、Ｓ３００において中止ボタン４０ａ以外の全てのタッチボタン４０に対応するＬＥＤ３６の消灯を行った後、本実施例ではＳ３０２の処理を省略し、ＣＩＳを点灯して読取準備処理で行った読取設定に基づいて原稿の読取を開始する（Ｓ３０３）。なお、本実施例では、Ｓ３３２の処理も省略する。
【０１３２】
制御部１３は、Ｓ３０３の処理の後、後述のカバー開閉状態取得処理を行い、「原稿カバー開閉フラグ」を「閉位置」もしくは「開位置」に設定する（Ｓ３０５）。
【０１３３】
制御部１３は、Ｓ３０５の処理によって設定した、原稿カバー４の開閉状態を表すパラメータである「原稿カバー開閉フラグ」が「閉位置」であるか「開位置」であるかを判断することにより、原稿カバー４が閉位置であるか否かを判断する。すなわち読取中に原稿カバー４が開位置に変位されたか否かを判断する（Ｓ３１０）。
【０１３４】
「原稿カバー開閉フラグ」が「閉位置」であるとして、原稿カバー４が閉位置であると判断する場合（Ｓ３１０：ＹＥＳ）、制御部１３は、読取中に原稿カバー４が開位置に変位されていないとして、Ｓ３１５の処理に進む。
【０１３５】
一方、「原稿カバー開閉フラグ」が「開位置」であるとして、原稿カバー４が閉位置でないと判断する場合（Ｓ３１０：ＮＯ）、制御部１３は、読取中に原稿カバー４が開位置に変位されたとして、表示部８に、「カバーが開けられました。読取を中止します。」と表示を行い（Ｓ３２０）、読取動作を中止する旨をユーザに報知する。その後、ＣＩＳを消灯して読取データを破棄し、Ｓ３３２の処理を省略し、読取を終了するための処理であるＳ３３５の処理に進む。
【０１３６】
Ｓ３１５の処理において、制御部１３は、中止ボタン４０ａの電圧値が上述の「ユーザにより操作がなされているための条件」を満たすか否かを判断することにより、読取中に中止ボタン４０ａがユーザによって操作されたか否かを判断する（Ｓ３１５）。
【０１３７】
中止ボタン４０ａの電圧値が上述の「ユーザにより操作がなされているための条件」を満たすとして、制御部１３が、読取中に中止ボタン４０ａがユーザによって操作されたと判断する場合（Ｓ３１５：ＹＥＳ）、制御部１３は、ユーザによって読取の中止が指示されたとして、表示部８に、「中止キーが押されました。読取を中止します。」と表示を行い（Ｓ３３０）、ＣＩＳを消灯し読取データを破棄して、Ｓ３３２の処理を省略し、読取を終了するための処理であるＳ３３５の処理に進む。
【０１３８】
一方、中止ボタン４０ａの電圧値が上述の「ユーザにより操作がなされているための条件」を満たさないとして、制御部１３が、読取中に中止ボタン４０ａがユーザによって操作されていないと判断する場合（Ｓ３１５：ＮＯ）、ユーザによって読取の中止が指示されていないとして、制御部１３は、Ｓ３２５の処理に移行する。
【０１３９】
Ｓ３２５の処理において、制御部１３は、読取中の原稿の読取が終了したか否かを判断する（Ｓ３２５）。
【０１４０】
Ｓ３２５の処理において、読取が終了したと判断する場合（Ｓ３２５：ＹＥＳ）、ＣＩＳを消灯し読取データをメモリに保存したり通信部２１によって外部の装置に送信したりする等し、Ｓ３３２の処理を省略し、読取を終了するための処理であるＳ３３５の処理に進む。
【０１４１】
一方、Ｓ３２５の処理において、読取が終了していないと判断する場合（Ｓ３２５：ＮＯ）、読取を続行するとして、後述のカバー開閉状態取得処理を行う処理Ｓ３０５に戻る。
【０１４２】
Ｓ３３５の処理において、制御部１３は、中止ボタン４０ａを含むすべてのタッチボタン４０に対応するＬＥＤ３６を点灯し、ユーザによる操作を再び受け付けるようにし（Ｓ３３５）、読取処理を終了する。
【０１４３】
＜カバー開閉状態取得処理＞
カバー開閉状態取得処理において、制御部１３は、まず「第１のセンサ」が「原稿カバー４が閉位置であるための条件」を満たすか否かを判断することにより、「第１のセンサ」において原稿カバー４が閉位置であると判断されるか否かを判断する（Ｓ４００）。
【０１４４】
「第１のセンサ」が「原稿カバー４が閉位置であるための条件」を満たすと判断するとして、「第１のセンサ」において原稿カバー４が閉位置であると判断されると判断する場合（Ｓ４００：ＹＥＳ）、Ｓ４０５の処理へ移行する。
【０１４５】
一方、「第１のセンサ」が「原稿カバー４が閉位置であるための条件」を満たさないと判断するとして、「第１のセンサ」において原稿カバー４が閉位置であると判断されないと判断する場合（Ｓ４００：ＮＯ）、原稿カバー４は開位置であるとして、Ｓ４２０へ移行し、原稿カバー４の位置を表すパラメータである「原稿カバー開閉フラグ」を「開位置」に設定して（Ｓ４２０）、カバー開閉状態取得処理を終了する。なお、このときタッチボタン４０に人体が接近および接触しておらず且つ原稿カバー４が閉位置にある状態で各電極３１が出力する電荷量値を変換した電圧値を０としていた場合には、タッチボタン４０に人体が接近および接触しておらず且つ原稿カバー４が開位置にある状態で各電極３１が出力する電荷量値を変換した電圧値を０として設定し直す。
【０１４６】
Ｓ４０５において、制御部１３は、「第２のセンサ」が「原稿カバー４が閉位置であるための条件」を満たすか否かを判断することにより、「第２のセンサ」において原稿カバー４が閉位置であると判断されるか否かを判断する（Ｓ４０５）。
【０１４７】
「第２のセンサ」が「原稿カバー４が閉位置であるための条件」を満たすと判断するとして、「第２のセンサ」において原稿カバー４が閉位置であると判断されると判断する場合（Ｓ４０５：ＹＥＳ）、Ｓ４１０の処理へ移行する。
【０１４８】
一方、「第２のセンサ」が「原稿カバー４が閉位置であるための条件」を満たさないと判断するとして、「第２のセンサ」において原稿カバー４が閉位置であると判断されないと判断する場合（Ｓ４０５：ＮＯ）、原稿カバー４は開位置であるとして、Ｓ４２０へ移行し、原稿カバー４の位置を表すパラメータである「原稿カバー開閉フラグ」を「開位置」に設定して（Ｓ４２０）、カバー開閉状態取得処理を終了する。なお、このときタッチボタン４０に人体が接近および接触しておらず且つ原稿カバー４が閉位置にある状態で各電極３１が出力する電荷量値を変換した電圧値を０としていた場合には、タッチボタン４０に人体が接近および接触しておらず且つ原稿カバー４が開位置にある状態で各電極３１が出力する電荷量値を変換した電圧値を０として設定し直す。
【０１４９】
Ｓ４１０において、制御部１３は、「第３のセンサ」が「原稿カバー４が閉位置であるための条件」を満たすか否かを判断することにより、「第３のセンサ」において原稿カバー４が閉位置であると判断されるか否かを判断する（Ｓ４１０）。
【０１５０】
「第３のセンサ」が「原稿カバー４が閉位置であるための条件」を満たすと判断するとして、「第３のセンサ」において原稿カバー４が閉位置であると判断されると判断する場合（Ｓ４１０：ＹＥＳ）、「第１のセンサ」、「第２のセンサ」、「第３のセンサ」の全てで原稿カバー４は閉位置であると判断されたとして、Ｓ４１５の処理へ移行し、原稿カバー４の位置を表すパラメータである「原稿カバー開閉フラグ」を「閉位置」に設定して（Ｓ４１５）、カバー開閉状態取得処理を終了する。なお、このときタッチボタン４０に人体が接近および接触しておらず且つ原稿カバー４が開位置にある状態で各電極３１が出力する電荷量値を変換した電圧値を０としていた場合には、タッチボタン４０に人体が接近および接触しておらず且つ原稿カバー４が閉位置にある状態で各電極３１が出力する電荷量値を変換した電圧値を０として設定し直す。
【０１５１】
一方、「第３のセンサ」が「原稿カバー４が閉位置であるための条件」を満たさないと判断するとして、「第３のセンサ」において原稿カバー４が閉位置であると判断されないと判断する場合（Ｓ４１０：ＮＯ）、原稿カバー４は開位置であるとして、Ｓ４２０へ移行し、原稿カバー４の位置を表すパラメータである「原稿カバー開閉フラグ」を「開位置」に設定して、カバー開閉状態取得処理を終了する。なお、このときタッチボタン４０に人体が接近および接触しておらず且つ原稿カバー４が閉位置にある状態で各電極３１が出力する電荷量値を変換した電圧値を０としていた場合には、タッチボタン４０に人体が接近および接触しておらず且つ原稿カバー４が開位置にある状態で各電極３１が出力する電荷量値を変換した電圧値を０として設定し直す。
【０１５２】
なお、「第１のセンサ」、「第２のセンサ」、「第３のセンサ」の各タッチボタン４０と関連する構成によって出力される全ての電圧値が「原稿カバー４が閉位置であるための条件」を満たす場合、原稿カバー４が閉位置であると判断し、「第１のセンサ」、「第２のセンサ」、「第３のセンサ」の各タッチボタン４０と関連する構成によって出力される電圧値の少なくとも１つが「原稿カバー４が閉位置であるための条件」を満たさない場合、原稿カバー４が開位置であると判断する、カバー開閉状態取得処理と、Ｓ２０５のカバー開閉状態取得処理によって設定したパラメータ「原稿カバー開閉フラグ」が「閉位置」か「開位置」かによってＳ２１０で判断する原稿カバー４の開閉状態に応じて、Ｓ２２０もしくはＳ２１５のように表示部８に表示を行う一連の処理は、第１の画像処理および第１の処理の一例である。なお、第１の画像処理、第１の処理は、例えば、Ｓ２１０で原稿カバー４が開位置にあると判断した場合のみＳ２１５のように表示部８に表示を行い、原稿カバー４が閉位置にあると判断した場合にはＳ２２０の処理を省略しＳ２２５の処理に移行するものであってもよい。すなわち、第１の画像処理、第１の処理は、原稿カバー４の開閉状態の判断に応じて、一方の場合は画像処理を行い、もう一方の場合は画像処理を行わない場合等も含む処理である。
【０１５３】
また、Ｓ３０５のカバー開閉状態取得処理によって設定したパラメータ「原稿カバー開閉フラグ」が「閉位置」か「開位置」かによってＳ３１０で判断する原稿カバー４の開閉状態に応じて、Ｓ３２０の処理で原稿の読取を中止するかもしくはＳ３１５の処理以降で原稿の読取を続行する一連の処理は、第１の処理の一例である。
【０１５４】
＜作用効果＞
本発明によれば、「第１のセンサ」、「第２のセンサ」、「第３のセンサ」とそれに関連する基板３０、電極３１、信号線３２等の操作部７における各構成、信号生成回路１７および誘電部材９Ａ等のセンサ部分以外に、センサ部分を反応させるためのメカ機構を設けることなしに、原稿カバー４の変位判断を行うことができる。したがって、原稿カバー４の変位判断に関して必要なメカ機構の材料および配置場所を低減できる。
【０１５５】
また、原稿カバー４の変位判断に関して必要なメカ機構の材料および配置場所を低減できるとともに、タッチボタン４０への人体の接近又は接触によって、表示部８への表示を行うことができる。
【０１５６】
また、原稿カバー４の変位判断を行う「第１のセンサ」、「第２のセンサ」、「第３のセンサ」とユーザからの操作を受け付けるタッチボタン４０を設ける基板を共通化することで、基板の数を低減することができる。
【０１５７】
また、原稿カバー４の変位判断を行う「第１のセンサ」、「第２のセンサ」、「第３のセンサ」とユーザからの操作を受け付ける「第１のセンサ」等の各センサに対応するタッチボタン４０とを同一とすることで、必要な信号線３２の本数を低減することができる。
【０１５８】
また「第１のセンサ」、「第２のセンサ」、「第３のセンサ」の複数箇所のセンサの電圧値に基づいて変位判断を行うことで、原稿カバー４の位置を誤判断する可能性を低減できる。
【０１５９】
また、人体の誘電率よりも誘電部材９Ａの誘電率の方が大きい場合に、第１の閾値ｌ、第２の閾値ｍおよび第３の閾値ｎと「第１のセンサ」等の電圧値との大小関係を判断することにより、原稿カバー４の位置、および「第１のセンサ」等の各センサに対応するタッチボタン４０への人体の接近度合いによって画像処理を切り分けることができる。
【０１６０】
＜第２実施例＞
続いて、第２実施例を、図１２を参照しつつ説明する。
【０１６１】
第２実施例では、人体の誘電率よりも誘電部材９Ａの誘電率の方が小さい点が、第１実施例とは異なる。すなわち、誘電部材９Ａはエチレングリコール等で構成されているものとする。
【０１６２】
以下、記載の無い点については、第１実施例と同様であるとする。
【０１６３】
図１２は人体の誘電率よりも誘電部材９Ａの誘電率の方が小さい場合に、操作部７および信号生成回路１７によって出力される電圧値と、第４の閾値ｌ´、第５の閾値ｍ´、第６の閾値ｎ´との関係を示す概略的なグラフである。特に、（ａ）はタッチボタン４０に人体が接近および接触しておらず且つ原稿カバー４が開位置にある状態で各電極３１が出力する電荷量値を変換した電圧値を０とした際の、相対的な電圧値を示すグラフであり、（ｂ）は、タッチボタン４０に人体が接近および接触しておらず且つ原稿カバー４が閉位置にある状態で各電極３１が出力する電荷量値を変換した電圧値を０としたとき際の、相対的な電圧値を示すグラフである。
【０１６４】
（Ａ１）´は、タッチボタン４０に人体が接近および接触しておらず且つ原稿カバー４が開位置にある状態で各電極３１が出力する電荷量値を変換した電圧値を０とした際に、原稿カバー４が閉位置である場合の「第ｘのセンサ」の電圧値である。
【０１６５】
（Ａ２）´は、タッチボタン４０に人体が接近および接触しておらず且つ原稿カバー４が開位置にある状態で各電極３１が出力する電荷量値を変換した電圧値を０とした際に、原稿カバー４が開位置である場合の「第ｘのセンサ」の電圧値である。
【０１６６】
（Ａ３）´は、「第ｘのセンサ」に対応するタッチボタン４０がユーザにより操作がなされていない状態である場合の「第ｘのセンサ」の電圧値である。
【０１６７】
（Ａ４）´は、「第ｘのセンサ」に対応するタッチボタン４０がユーザにより操作がなされている状態である場合の「第ｘのセンサ」の電圧値である。
【０１６８】
（Ａ５）´は、タッチボタン４０に人体が接近および接触しておらず且つ原稿カバー４が閉位置にある状態で各電極３１が出力する電荷量値を変換した電圧値を０とした際に、原稿カバー４が閉位置である場合の「第ｘのセンサ」の電圧値である。
【０１６９】
（Ａ６）´は、タッチボタン４０に人体が接近および接触しておらず且つ原稿カバー４が閉位置にある状態で各電極３１が出力する電荷量値を変換した電圧値を０とした際に、原稿カバー４が開位置である場合の「第ｘのセンサ」の電圧値である。
【０１７０】
第４の閾値ｌ´（第４の閾値の一例）は、タッチボタン４０に人体が接近および接触しておらず且つ原稿カバー４が開位置にある状態で各電極３１が出力する電荷量値を変換した電圧値を０としたときの、原稿カバー４が閉位置にある状態の「第ｘのセンサ」の電圧値（Ａ１）´よりも大きく、タッチボタン４０がユーザにより操作がなされている状態の電圧値（Ａ４）よりも小さい値としてメモリに保持されている。
【０１７１】
第５の閾値ｍ´（第５の閾値の一例）は、タッチボタン４０に人体が接近および接触しておらず且つ原稿カバー４が開位置にある状態で各電極３１が出力する電荷量値を変換した電圧値を０としたときの、原稿カバー４が閉位置にある状態の「第ｘのセンサ」の電圧値（Ａ１）´よりも小さく、原稿カバー４が開位置にある状態の「第ｘのセンサ」の電圧値（Ａ２）´よりも大きい値として、メモリに保持されている。
【０１７２】
第６の閾値ｎ´（第６の閾値の一例）は、タッチボタン４０に人体が接近および接触しておらず且つ原稿カバー４が閉位置にある状態で各電極３１が出力する電荷量値を変換した電圧値を０としたときの、原稿カバー４が開位置にある状態の「第ｘのセンサ」の電圧値（Ａ６）´よりも大きく、原稿カバー４が閉位置にある状態の「第ｘのセンサ」の電圧値（Ａ５）´よりも小さい値として、メモリに保持されている。
【０１７３】
以上によれば、図１２（ａ）、（ｂ）の左の棒グラフに示すように、原稿カバー４が閉位置である場合には、タッチボタン４０に人体が接近および接触しておらず且つ原稿カバー４が開位置にある状態で各電極３１が出力する電荷量値を変換した電圧値を０とした際には、「第ｘのセンサ」の電圧値は第５の閾値ｍ´以上且つ第４の閾値ｌ´未満である。また、タッチボタン４０に人体が接近および接触しておらず且つ原稿カバー４が閉位置にある状態で各電極３１が出力する電荷量値を変換した電圧値を０とした際には、「第ｘのセンサ」の電圧値は第６の閾値ｎ´以上である。
【０１７４】
ここで、「原稿カバー４が閉位置であるための条件」を、タッチボタン４０に人体が接近および接触しておらず且つ原稿カバー４が開位置にある状態で各電極３１が出力する電荷量値を変換した電圧値を０とした際には、「第ｘのセンサ」の電圧値が第５の閾値ｍ´以上且つ第４の閾値ｌ´未満であると定め、タッチボタン４０に人体が接近および接触しておらず且つ原稿カバー４が閉位置にある状態で各電極３１が出力する電荷量値を変換した電圧値を０とした際には、「第ｘのセンサ」の電圧値が第６の閾値ｎ´以上であると定める。
【０１７５】
これにより制御部１３は、第１実施例と同様に、「原稿カバー４が閉位置であるための条件」に基づいて、「第ｘのセンサ」において原稿カバー４が閉位置であると判断されるか否かの判断を、１つのセンサについて、もしくは、カバー開閉状態取得処理のように複数のセンサの組み合わせについて行うことにより、原稿カバー４が閉位置であるか開位置であるかを判断する。
【０１７６】
同様に、図１２（ａ）、（ｂ）の右の棒グラフに示すように、ユーザによってタッチボタン４０の操作がなされる場合には、タッチボタン４０の電圧値は第４の閾値ｌ´以上である。
【０１７７】
ここで、「ユーザにより操作がなされているための条件」を、タッチボタン４０の電圧値が第４の閾値ｌ´以上であると定める。
【０１７８】
これにより、制御部１３は、第１実施例と同様に、「ユーザにより操作がなされているための条件」に基づいて、タッチボタン４０がユーザにより操作されているか否かを判断する。
【０１７９】
読取機能の各処理については第１実施例と同様である。
【０１８０】
＜作用効果＞
本発明によれば、人体の誘電率よりも誘電部材９Ａの誘電率の方が小さい場合に、第４の閾値ｌ´、第５の閾値ｍ´および第６の閾値ｎ´と「第１のセンサ」等の電圧値との大小関係を判断することにより、原稿カバー４の位置、および「第１のセンサ」等の各センサに対応するタッチボタン４０への人体の接近度合いによって画像処理を切り分けることができる。
【０１８１】
＜第３実施例＞
続いて、第３実施例を、図１３を参照しつつ説明する。
【０１８２】
第３実施例では、第１実施例及び第２実施例と、「原稿カバー４が閉位置であるための条件」及び「ユーザにより操作がなされているための条件」の決め方等が異なる。
【０１８３】
以下、記載の無い点については、第１実施例と同様であるとする。
【０１８４】
本実施例においては、タッチボタン４０の電圧値は、一旦、タッチボタン４０に人体が接近および接触しておらず且つ原稿カバー４が開位置にある状態で各電極３１が出力する電荷量値を変換した電圧値を０としたときの、相対的な値で出力されるものとして説明を行う。
【０１８５】
図１３は人体の誘電率よりも誘電部材９Ａの誘電率の方が大きい場合の、操作部７および信号生成回路１７によって出力される電圧値と、第７の閾値ｏ、第８の閾値ｐ、第９の閾値ｑとの関係を示す概略的なグラフである。
【０１８６】
図１３の左の棒グラフは、「第ｘのセンサ」の電圧値を表す棒グラフであり、右の棒グラフは、「第ｘのセンサ」以外のタッチボタン４０の電圧値を表す棒グラフである。
【０１８７】
（Ｂ１）は原稿カバー４が開位置にあり、かつ、「第ｘのセンサ」がユーザにより操作がなされていない状態である場合の「第ｘのセンサ」の電圧値である。すなわち、原稿カバー４が開位置にある場合の「第ｘのセンサ」の電圧値と、「第ｘのセンサ」がユーザにより操作がなされていない状態である場合の「第ｘのセンサ」の電圧値の和である。また、「第ｘのセンサ」以外のタッチボタン４０がユーザにより操作がなされていない状態である場合のタッチボタン４０の電圧値である。
【０１８８】
（Ｂ２）は原稿カバー４が開位置にあり、かつ、「第ｘのセンサ」がユーザにより操作がなされている状態である場合の「第ｘのセンサ」の電圧値である。すなわち、原稿カバー４が開位置にある場合の「第ｘのセンサ」の電圧値と、「第ｘのセンサ」がユーザにより操作がなされている状態である場合の「第ｘのセンサ」の電圧値の和である。また、「第ｘのセンサ」以外のタッチボタン４０がユーザにより操作がなされている状態である場合のタッチボタン４０の電圧値である。
【０１８９】
（Ｂ３）は原稿カバー４が閉位置にあり、かつ、「第ｘのセンサ」がユーザにより操作がなされていない状態である場合の「第ｘのセンサ」の電圧値である。すなわち、原稿カバー４が閉位置にある場合の「第ｘのセンサ」の電圧値と、「第ｘのセンサ」がユーザにより操作がなされていない状態である場合の「第ｘのセンサ」の電圧値の和である。
【０１９０】
（Ｂ４）は原稿カバー４が閉位置にあり、かつ、「第ｘのセンサ」がユーザにより操作がなされている状態である場合の「第ｘのセンサ」の電圧値である。すなわち、原稿カバー４が閉位置にある場合の「第ｘのセンサ」の電圧値と、「第ｘのセンサ」がユーザにより操作がなされている状態である場合の「第ｘのセンサ」の電圧値の和である。
【０１９１】
（Ｂ１）〜（Ｂ４）の電圧値の大小は図１３に示すように（Ｂ４）が最も大きく、（Ｂ３）、（Ｂ２）、（Ｂ１）の順となっている。
【０１９２】
第７の閾値ｏ（第７の閾値の一例）は、原稿カバー４が閉位置にあり、かつ、「第ｘのセンサ」がユーザにより操作がなされている状態の電圧値（Ｂ４）より小さく、原稿カバー４が閉位置にあり、かつ、「第ｘのセンサ」がユーザにより操作がなされていない状態の電圧値（Ｂ３）よりも大きい値としてメモリに保持されている。
【０１９３】
第８の閾値ｐ（第８の閾値の一例）は、原稿カバー４が閉位置にあり、かつ、「第ｘのセンサ」がユーザにより操作がなされていない状態の電圧値（Ｂ３）よりも小さく、原稿カバー４が開位置にあり、かつ、「第ｘのセンサ」がユーザにより操作がなされている状態の電圧値（Ｂ２）よりも大きい値としてメモリに保持されている。
【０１９４】
第９の閾値ｑ（第９の閾値の一例）は、原稿カバー４が開位置にあり、かつ、「第ｘのセンサ」がユーザにより操作がなされている状態の電圧値（Ｂ２）よりも小さく、原稿カバー４が開位置にあり、かつ、「第ｘのセンサ」がユーザにより操作がなされていない状態の電圧値（Ｂ１）よりも大きい値としてメモリに保持されている。
【０１９５】
以上によれば、図１３の左の棒グラフに示すように、原稿カバー４が閉位置である場合には、「第ｘのセンサ」の電圧値は第８の閾値ｐ以上である。これにより「原稿カバー４が閉位置であるための条件」を、「第ｘのセンサ」の電圧値が、第８の閾値ｐ以上であると定める。
【０１９６】
これにより制御部１３は、第１実施例と同様に、「原稿カバー４が閉位置であるための条件」に基づいて、「第ｘのセンサ」において原稿カバー４が閉位置であると判断されるか否かの判断を、１つのセンサについて、もしくは、カバー開閉状態取得処理のように複数のセンサの組み合わせについて行うことにより、原稿カバー４が閉位置であるか開位置であるかを判断する。
【０１９７】
同様に、図１３の左の棒グラフに示すように、ユーザによって「第ｘのセンサ」に対応するタッチボタン４０の操作がなされる場合には、「第ｘのセンサ」の電圧値は第７の閾値ｏ以上、もしくは第８の閾値ｐ未満かつ第９の閾値ｑ以上である。ここで、「ユーザにより操作がなされているための条件」を、「第ｘのセンサ」の電圧値が第７の閾値ｏ以上、もしくは第８の閾値ｐ未満且つ第９の閾値ｑ以上であると定める。
【０１９８】
これにより、制御部１３は、第１実施例と同様に、「ユーザにより操作がなされているための条件」に基づいて、「第ｘのセンサ」のユーザによる操作の有無を判断する。
【０１９９】
一方、図１３の右の棒グラフに示すように、「第ｘのセンサ」以外のタッチボタン４０は、ユーザによって操作がなされていない場合の電圧値（Ｂ１）、ユーザによって操作がなされている場合の電圧値（Ｂ２）の２通りの値を制御部１３に出力する。
【０２００】
これにより「第ｘのセンサ」以外のタッチボタン４０のユーザによる操作の有無は上述の「第ｘのセンサ」の場合と同様に判断される。すなわち、ユーザにより操作がなされている状態である場合の電圧値（Ｂ２）とユーザにより操作がなされていない状態である場合の電圧値（Ｂ１）の間に位置する所定値との比較により、「第ｘのセンサ」以外のタッチボタン４０のユーザによる操作の有無が判断される。なお、本実施例では、上記所定値を、「第ｘのセンサ」のユーザによる操作の有無を判断するのに用いる「ユーザにより操作がなされているための条件」とするが、別に所定値を備える構成であってもよい。
【０２０１】
なお、原稿カバー４が閉位置にある状態で各電極３１が出力する電荷量値を変換した電圧値を０とした場合には、「第ｘのセンサ」の電圧値を表す左の棒グラフは、（Ｂ３）の電圧値を０とした電圧値となる。また、「第ｘのセンサ」以外のタッチボタン４０の電圧値を表す右の棒グラフは、（Ｂ１）、（Ｂ２）ではなく（Ｂ３）、（Ｂ４）の電圧値をとる形となる。
【０２０２】
本実施例の読取機能の処理については、カバー開閉状態取得処理において、パラメータ「原稿カバー開閉フラグ」を「開位置」もしくは「閉位置」に設定する処理（Ｓ４１５、Ｓ４２０）後、原稿カバー４が閉位置か開位置かにある状態の電圧値を０として設定し直す処理を行わない。この点以外の読取機能の処理については、第１実施例、第２実施例と同様である。
【０２０３】
＜作用効果＞
本発明によれば、人体の誘電率よりも誘電部材９Ａの誘電率の方が大きい場合に、第７の閾値ｏ、第８の閾値ｐおよび第９の閾値ｑと「第１のセンサ」等の電圧値との大小関係を判断することにより、原稿カバー４の位置、および「第１のセンサ」等の各センサに対応するタッチボタン４０への人体の接近度合いによって画像処理を切り分けることができる。
【０２０４】
＜第４実施例＞
続いて、第４実施例を、図１４を参照しつつ説明する。
【０２０５】
第４実施例では、人体の誘電率よりも誘電部材９Ａの誘電率の方が小さい点が、第３実施例とは異なる。
【０２０６】
以下、記載の無い点については、第３実施例と同様であるとする。
【０２０７】
図１４は、人体の誘電率よりも誘電部材９Ａの誘電率の方が小さい場合の、操作部７および信号生成回路１７によって出力される電圧値と、第１０の閾値ｏ´、第１１の閾値ｐ´、第１２の閾値ｑ´との関係を示す概略的なグラフである。
【０２０８】
本実施例においては誘電部材９Ａの誘電率は人体の誘電率よりも小さいとする。
【０２０９】
（Ｂ１）´は原稿カバー４が開位置にあり、かつ、「第ｘのセンサ」がユーザにより操作がなされていない状態である場合の「第ｘのセンサ」の電圧値である。すなわち、原稿カバー４が開位置にある場合の「第ｘのセンサ」の電圧値と、「第ｘのセンサ」がユーザにより操作がなされていない状態である場合の「第ｘのセンサ」の電圧値の和である。また、「第ｘのセンサ」以外のタッチボタン４０がユーザにより操作がなされていない状態である場合のタッチボタン４０の電圧値である。
【０２１０】
（Ｂ２）´は原稿カバー４が開位置にあり、かつ、「第ｘのセンサ」がユーザにより操作がなされている状態である場合の「第ｘのセンサ」の電圧値である。すなわち、原稿カバー４が開位置にある場合の「第ｘのセンサ」の電圧値と、「第ｘのセンサ」がユーザにより操作がなされている状態である場合の「第ｘのセンサ」の電圧値の和である。また、「第ｘのセンサ」以外のタッチボタン４０がユーザにより操作がなされている状態である場合のタッチボタン４０の電圧値である。
【０２１１】
（Ｂ３）´は原稿カバー４が閉位置にあり、かつ、「第ｘのセンサ」がユーザにより操作がなされていない状態である場合の「第ｘのセンサ」の電圧値である。すなわち、原稿カバー４が閉位置にある場合の「第ｘのセンサ」の電圧値と、「第ｘのセンサ」がユーザにより操作がなされていない状態である場合の「第ｘのセンサ」の電圧値の和である。
【０２１２】
（Ｂ４）´は原稿カバー４が閉位置にあり、かつ、「第ｘのセンサ」がユーザにより操作がなされている状態である場合の「第ｘのセンサ」の電圧値である。すなわち、原稿カバー４が閉位置にある場合の「第ｘのセンサ」の電圧値と、「第ｘのセンサ」がユーザにより操作がなされている状態である場合の「第ｘのセンサ」の電圧値の和である。
【０２１３】
（Ｂ１）´〜（Ｂ４）´の電圧値の大小は図１４に示すように（Ｂ４）´が最も大きく、（Ｂ２）´、（Ｂ３）´、（Ｂ１）´の順となっている。
【０２１４】
第１０の閾値ｏ´（第１０の閾値の一例）は、原稿カバー４が閉位置にあり、かつ、「第ｘのセンサ」がユーザにより操作がなされている状態の電圧値（Ｂ４）´よりも小さく、原稿カバー４が開位置にあり、かつ、「第ｘのセンサ」がユーザにより操作がなされている状態の電圧値（Ｂ２）´よりも大きい値として、メモリに保持されている。
【０２１５】
第１１の閾値ｐ´（第１１の閾値の一例）は、原稿カバー４が開位置にあり、かつ、「第ｘのセンサ」がユーザにより操作がなされている状態の電圧値（Ｂ２）´よりも小さく、原稿カバー４が閉位置にあり、かつ、「第ｘのセンサ」がユーザにより操作がなされていない状態の電圧値（Ｂ３）´よりも大きい値として、メモリに保持されている。
【０２１６】
第１２の閾値ｑ´（第１２の閾値の一例）は、原稿カバー４が閉位置にあり、かつ、「第ｘのセンサ」がユーザにより操作がなされていない状態の電圧値（Ｂ３）´よりも小さく、原稿カバー４が開位置にあり、かつ、「第ｘのセンサ」がユーザにより操作がなされていない状態の電圧値（Ｂ１）´よりも大きい値としてメモリに保持されている。
【０２１７】
以上によれば、図１４の左の棒グラフに示すように、原稿カバー４が閉位置である場合には、「第ｘのセンサ」の電圧値は第１０の閾値ｏ´以上、もしくは第１２の閾値ｑ´以上且つ第１１の閾値ｐ´未満である。これにより「原稿カバー４が閉位置であるための条件」を、「第ｘのセンサ」の電圧値が、第１０の閾値ｏ´以上、もしくは第１２の閾値ｑ´以上且つ第１１の閾値ｐ´未満であると定める。
【０２１８】
これにより制御部１３は、第３実施例と同様に、「原稿カバー４が閉位置であるための条件」に基づいて、原稿カバー４が閉位置であるか開位置であるかを判断する。
【０２１９】
同様に、図１４の左の棒グラフに示すように、ユーザによって「第ｘのセンサ」に対応するタッチボタン４０の操作がなされる場合には、「第ｘのセンサ」の電圧値は第１１の閾値ｐ´以上である。ここで、「ユーザにより操作がなされているための条件」を、「第ｘのセンサ」の電圧値が第１１の閾値ｐ´以上であると定める。
【０２２０】
これにより、制御部１３は、第３実施例と同様に、「ユーザにより操作がなされているための条件」に基づいて、「第ｘのセンサ」のユーザによる操作の有無を判断する。
【０２２１】
一方、図１４の右の棒グラフに示すように、「第ｘのセンサ」以外のタッチボタン４０は、ユーザの指等の接近又は接触によって操作がなされていない場合の電圧値（Ｂ１）´、ユーザの指等の接近又は接触によって操作がなされた場合の電圧値（Ｂ２）´の２通りの値を制御部１３に出力する。
【０２２２】
これにより「第ｘのセンサ」以外のタッチボタン４０のユーザによる操作の有無は上述の「第ｘのセンサ」の場合と同様に判断される。すなわち、ユーザにより操作がなされている状態である場合の電圧値（Ｂ２）´とユーザにより操作がなされていない状態である場合の電圧値（Ｂ１）´の間に位置する所定値との比較により、「第ｘのセンサ」以外のタッチボタン４０のユーザによる操作の有無が判断される。なお、本実施例では、上記所定値を、「第ｘのセンサ」のユーザによる操作の有無を判断するのに用いる「ユーザにより操作がなされているための条件」とするが、別に所定値を備える構成であってもよい。
【０２２３】
なお、原稿カバー４が閉位置にある状態で各電極３１が出力する電荷量値を変換した電圧値を０とした場合には、「第ｘのセンサ」の電圧値を表す左の棒グラフは、（Ｂ３）´の電圧値を０とした電圧値となる。また、「第ｘのセンサ」以外のタッチボタン４０の電圧値を表す右の棒グラフは、（Ｂ１）´、（Ｂ２）´ではなく（Ｂ３）´、（Ｂ４）´の電圧値をとる形となる。
【０２２４】
読取機能の処理については、第３実施例と同様である。
【０２２５】
＜作用効果＞
本発明によれば、人体の誘電率よりも誘電部材９Ａの誘電率の方が小さい場合に、第１０の閾値ｏ´、第１１の閾値ｐ´および第１２の閾値ｑ´と「第１のセンサ」等の電圧値との大小関係を判断することにより、原稿カバー４の位置、および「第１のセンサ」等の各センサに対応するタッチボタン４０への人体の接近度合いによって画像処理を切り分けることができる。
【０２２６】
＜第５実施例＞
続いて、第５実施例を図３および図１１を参照しつつ、説明する。
【０２２７】
以下、記載の無い点については、第１実施例と同様であるとする。
【０２２８】
第５実施例においては、原稿カバー４の誘電部９には２つの誘電部材９Ａが設けられており、それぞれ「１」のタッチエリア４１ｂ、「３」のタッチエリア４１ｄは、原稿カバー４が閉位置である場合に、原稿カバー４に設けられた２つの誘電部材９Ａにそれぞれ接近する位置に設けられている。すなわち、図３と比べ、「２」のタッチエリア４１ｃに接近する誘電部材９Ａが設けられず、「２」のタッチエリア４１ｃはタッチエリア４１ｅ〜４１ｐと同じ大きさであるような構成である。
【０２２９】
これにより、第５実施例においては、特に「１」のタッチエリア４１ｂ、「３」のタッチエリア４１ｄをなす電極３１については、ユーザの指等の人体の接近によって生じる誘電に応じた電荷量値を出力するだけではなく、誘電部材９Ａが設けられた原稿カバー４の接近によっても、誘電部材９Ａによって生じる誘電に応じた電荷量値を出力する。
【０２３０】
なお、図３に示すように、「１」のタッチボタン４０ｂは、「３」のタッチボタン４０ｄに対して「２」のタッチボタン４０ｂの分だけ離れている。逆に、「３」のタッチボタン４０ｄは、「１」のタッチボタン４０ｂに対して「２」のタッチボタン４０ｃの分だけ離れている。すなわち、タッチボタン４０が１個分設置される分の距離であるタッチエリア４１の１つ分の幅＋α（所定距離の一例）が「１」のタッチボタン４０ｂ、「３」のタッチボタン４０ｄの間に存在する。
【０２３１】
第５実施例においては、「１」のタッチボタン４０ｂに対応する信号線３２の情報がパラメータ「第１のセンサ」、「３」のタッチボタン４０ｄに対応する信号線３２の情報がパラメータ「第２のセンサ」として、メモリに保持されている。なお、第５実施例においては、パラメータ「第３のセンサ」は存在しないものとする。
【０２３２】
第５実施例における、カバー開閉状態取得処理について図１１を参照しつつ説明する。
【０２３３】
第５実施例のカバー開閉状態取得処理は、「第１のセンサ」及び「第２のセンサ」の電圧値によってパラメータ「原稿カバー開閉フラグ」の設定を行う。すなわち、図１１に示す第１実施例におけるカバー開閉状態取得処理に対して、第５実施例におけるカバー開閉状態取得処理は、「第３のセンサ」が「原稿カバー４が閉位置であるための条件」を満たすかどうかを判断するＳ４１０の処理を省略したものとなっている。より具体的に以下で説明を行う。
【０２３４】
Ｓ４０５において、制御部１３は、「第２のセンサ」が「原稿カバー４が閉位置であるための条件」を満たすか否かを判断することにより、「第２のセンサ」において原稿カバー４が閉位置であると判断されるか否かを判断する（Ｓ４０５）。
【０２３５】
「第２のセンサ」が「原稿カバー４が閉位置であるための条件」を満たすと判断するとして、「第２のセンサ」において原稿カバー４が閉位置であると判断されると判断する場合（Ｓ４０５：ＹＥＳ）、「第１のセンサ」、「第２のセンサ」の両方で原稿カバー４は閉位置であると判断されたとして、制御部１３は、Ｓ４１５の処理へ移行し、原稿カバー４の位置を表すパラメータである「原稿カバー開閉フラグ」を「閉位置」とする（Ｓ４１５）。
【０２３６】
一方、「第２のセンサ」が「原稿カバー４が閉位置であるための条件」を満たさないと判断するとして、「第２のセンサ」において原稿カバー４が閉位置であると判断されないと判断する場合（Ｓ４０５：ＮＯ）、原稿カバー４は開位置であるとして、制御部１３はＳ４２０へ移行し、原稿カバー４の位置を表すパラメータである「原稿カバー開閉フラグ」を「開位置」とする（Ｓ４２０）。
【０２３７】
読取機能のその他の処理に関しては、第１実施例と同様である。
【０２３８】
第５実施例においては、「１」のタッチボタン４０ｂ、「３」のタッチボタン４０ｄとそれに関連する基板３０、電極３１、信号線３２等の操作部７における各構成および信号生成回路１７は、第１の検出部、第２の検出部および検出部の一例である。また、「１」のタッチボタン４０ｂ、「３」のタッチボタン４０ｄが設けられている箇所は複数箇所の一例である。
【０２３９】
＜作用効果＞
本発明によれば、「１」のタッチボタン４０ｂと、「１」のタッチボタン４０ｂとタッチボタン４０が１個分設置される分の距離離れている「３」のタッチボタン４０ｄと、の近接しない２つのタッチボタン４０の電圧値によって変位判断を行うことで、原稿カバー４の位置を誤判断する可能性を低減できる。
【０２４０】
＜第６実施例＞
続いて、第６実施例を図３、図９、図１０および図１１を参照しつつ、説明する。
【０２４１】
以下、記載の無い点については、第１実施例と同様であるとする。
【０２４２】
第６実施例においては、原稿カバー４の誘電部９には３つの誘電部材９Ａが設けられており、それぞれ中止ボタン４０ａ（中止部の一例）に対応するタッチエリア４１ａ、「１」のタッチエリア４１ｂ、「３」のタッチエリア４１ｄは、原稿カバー４が閉位置である場合に、原稿カバー４に設けられた３つの誘電部材９Ａにそれぞれ接近する位置に設けられている。すなわち、図３と比べ、「２」のタッチエリア４１ｃに接近する誘電部材９Ａが設けられず、「２」のタッチエリア４１ｃはタッチエリア４１ｅ〜４１ｐと同じ大きさである。また、中止ボタン４０ａに対応するタッチエリア４１ａに接近する誘電部材９Ａが設けられ、中止ボタン４０ａに対応するタッチエリア４１ａは後方に延びタッチエリア４１ｅ〜４１ｐ等よりも面積が大きいような構成である。
【０２４３】
これにより、第６実施例においては、特に中止ボタン４０ａに対応するタッチエリア４１ａ、「１」のタッチエリア４１ｂ、「３」のタッチエリア４１ｄをなす電極３１については、ユーザの指等の人体の接近によって生じる誘電に応じた電荷量値を出力するだけではなく、誘電部材９Ａが設けられた原稿カバー４の接近によっても、誘電部材９Ａによって生じる誘電に応じた電荷量値を出力する。
【０２４４】
また、第６実施例においては、電源オン時などの初期状態において、「１」のタッチボタン４０ｂに対応する信号線３２の情報がパラメータ「第１のセンサ」、「３」のタッチボタン４０ｄに対応する信号線３２の情報がパラメータ「第２のセンサ」、中止ボタン４０ａに対応する信号線３２の情報がパラメータ「第３のセンサ」として、メモリに保持されている。
【０２４５】
第６実施例における、読取機能について図９、図１０、図１１を参照しつつ説明する。
【０２４６】
図９に示す読取準備処理において、第６実施例においては、「原稿カバー開閉フラグ」を「閉位置」もしくは「開位置」に設定を行うＳ２０５のカバー開閉状態取得処理を、上記中止ボタン４０ａを含む「第１のセンサ」、「第２のセンサ」、「第３のセンサ」によって行う。
【０２４７】
次に、図１０に示す読取処理において、中止ボタン４０ａ以外の全てのタッチボタン４０に対応するＬＥＤ３６を消灯するとともに、ユーザによる操作を受け付けない状態（操作無効状態の一例）にするＳ３００の処理（操作無効処理の一例）の後、第６実施例においては、パラメータ「第ｘのセンサ」に対応するタッチボタン４０を読取中の設定とするＳ３０２の処理を行う。すなわち、パラメータ「第１のセンサ」に対応するタッチボタン４０を「１」のタッチボタン４０ｂ、「第２のセンサ」に対応するタッチボタン４０を「３」のタッチボタン４０ｄのままとし、「第３のセンサ」に対応するタッチボタン４０を中止ボタン４０ａから変更し、未設定であるとする（Ｓ３０２）。そして、ＣＩＳを点灯して読取準備処理で行った読取設定に基づいて原稿の読取を開始する（Ｓ３０３）。
【０２４８】
これによって、Ｓ３０５の処理において、第５実施例のカバー開閉状態取得処理と同様に、制御部１３は、上記中止ボタン４０ａを含まない「第１のセンサ」、「第２のセンサ」によって、カバー開閉状態取得処理を行う。
【０２４９】
また、読取中に原稿カバー４が開位置に変位されたとして表示部８に表示を行うＳ３２０、ユーザによって読取の中止が指示されたとして表示部８に表示を行うＳ３３０、および読取が終了したと判断するＳ３２５：ＹＥＳの処理の後、第６実施例においては、パラメータ「第ｘのセンサ」に対応するタッチボタン４０を通常時の設定とするＳ３３２の処理を行う。すなわち、パラメータ「第１のセンサ」に対応するタッチボタン４０を「１」のタッチボタン４０ｂ、「第２のセンサ」に対応するタッチボタン４０を「３」のタッチボタン４０ｄのままとし、「第３のセンサ」に対応するタッチボタン４０をＳ３０２で設定した未設定から再び中止ボタン４０ａに変更し、電源オン時の初期状態に戻す（Ｓ３３２）。そして、中止ボタン４０ａを含むすべてのタッチボタン４０に対応するＬＥＤ３６を点灯し、ユーザによる操作を再び受け付けるようにする（Ｓ３３５）。これにより、カバー開閉状態取得処理においては、制御部１３によって再び上記中止ボタン４０ａを含む「第１のセンサ」、「第２のセンサ」、「第３のセンサ」について、「原稿カバー４が閉位置であるための条件」を満たすか否かが判断される。
【０２５０】
第６実施例においては、中止ボタン４０ａ、「１」のタッチボタン４０ｂ、「３」のタッチボタン４０ｄとそれに関連する基板３０、電極３１、信号線３２等の操作部７における各構成および信号生成回路１７は、第１の検出部、第２の検出部および検出部の一例である。また、中止ボタン４０ａ、「１」のタッチボタン４０ｂ、「３」のタッチボタン４０ｄが設けられている箇所は複数箇所の一例である。
【０２５１】
＜作用効果＞
本発明によれば、Ｓ３００の処理でユーザによる操作を受け付けない状態とされている「１」のタッチボタン４０ｂ、「３」のタッチボタン４０ｄによって、Ｓ３０５で原稿カバー４の変位判断を行うことで、原稿カバーの位置を誤判断する可能性を低減できる。
【０２５２】
また、読取中に人体の接近又は接触によって読取を中止する中止ボタン４０ａによって、Ｓ３０５で原稿カバー４の変位判断を行わないことで、読取中の原稿カバー４の位置を誤判断する可能性を低減でき、原稿の読取を失敗する可能性等を低減できる。
【０２５３】
＜第７実施例＞
続いて、第７実施例を図３、図９、図１０および図１１を参照しつつ、説明する。
【０２５４】
以下、記載の無い点については、第１実施例と同様であるとする。
【０２５５】
第７実施例においては、電源オン時などの初期状態において、「１」のタッチボタン４０ｂに対応する信号線３２の情報がパラメータ「第１のセンサ」、「３」のタッチボタン４０ｄに対応する信号線３２の情報がパラメータ「第２のセンサ」、パラメータ「第３のセンサ」が未設定として、メモリに保持されている。
【０２５６】
第７実施例における、読取機能について図９、図１０、図１１を参照しつつ説明する。
【０２５７】
図９に示す読取準備処理において、第７実施例では、「原稿カバー開閉フラグ」を「閉位置」もしくは「開位置」に設定を行うカバー開閉状態取得処理を行うＳ２０５の処理においては、未設定の「第３のセンサ」を除く、「第１のセンサ」、「第２のセンサ」によって、第５実施例と同様にカバー開閉状態取得処理を行う。
【０２５８】
図１０に示す読取処理において、第７実施例では、中止ボタン４０ａ以外の全てのタッチボタン４０に対応するＬＥＤ３６を消灯するとともに、ユーザによる操作を受け付けないようにするＳ３００の処理の後、第６実施例と同様に、パラメータ「第ｘのセンサ」に対応するタッチボタン４０を読取中の設定とするＳ３０２の処理を行う。ただし第７実施例においては、パラメータ「第１のセンサ」に対応するタッチボタン４０を「１」のタッチボタン４０ｂ、「第２のセンサ」に対応するタッチボタン４０を「３」のタッチボタン４０ｄのままとし、「第３のセンサ」に対応するタッチボタン４０を未設定から変更し、「２」のタッチボタン４０ｃであるとする（Ｓ３０２）。そして、ＣＩＳを点灯して読取準備処理で行った読取設定に基づいて原稿の読取を開始する（Ｓ３０３）。
【０２５９】
これによって、Ｓ３０５の処理において、第１実施例のカバー開閉状態取得処理と同様に、制御部１３は、読取中でない場合のカバー開閉状態取得処理Ｓ２０５の処理よりも多い「第１のセンサ」、「第２のセンサ」、「第３のセンサ」によって、カバー開閉状態取得処理を行う。
【０２６０】
また、読取中に原稿カバー４が開位置に変位されたとして表示部８に表示を行うＳ３２０、ユーザによって読取の中止が指示されたとして表示部８に表示を行うＳ３３０、および読取が終了したと判断するＳ３２５：ＹＥＳの処理の後、第７実施例においては、パラメータ「第ｘのセンサ」に対応するタッチボタン４０を通常時の設定とするＳ３３２の処理を行う。すなわち、パラメータ「第１のセンサ」に対応するタッチボタン４０を「１」のタッチボタン４０ｂ、「第２のセンサ」に対応するタッチボタン４０を「３」のタッチボタン４０ｄのままとし、「第３のセンサ」に対応するタッチボタン４０を未設定に変更し、電源オン時の初期状態に戻す（Ｓ３３２）。そして、中止ボタン４０ａを含むすべてのタッチボタン４０に対応するＬＥＤ３６を点灯し、ユーザによる操作を再び受け付けるようにする（Ｓ３３５）。これにより、カバー開閉状態取得処理においては、制御部１３によって再び「第１のセンサ」、「第２のセンサ」に対応する２つのタッチボタン４０について、「原稿カバー４が閉位置であるための条件」を満たすか否かが判断される。
【０２６１】
第７実施例においては、「１」のタッチボタン４０ｂ、「２」のタッチボタン４０ｃ、「３」のタッチボタン４０ｄとそれに関連する基板３０、電極３１、信号線３２等の操作部７における各構成および信号生成回路１７は、第１の検出部、第２の検出部および検出部の一例である。また、「１」のタッチボタン４０ｂ、「３」のタッチボタン４０ｄ、「２」のタッチボタン４０ｃ、が設けられている箇所は複数箇所、第２の複数箇所の一例であり、「１」のタッチボタン４０ｂ、「３」のタッチボタン４０ｄ、が設けられている箇所は第１の複数箇所の一例である。
【０２６２】
＜作用効果＞
本発明によれば、読取中に、通常時の「１」のタッチボタン４０ｂ、「３」のタッチボタン４０ｄの２箇所よりも多い、「１」のタッチボタン４０ｂ、「２」のタッチボタン４０ｃ、「３」のタッチボタン４０ｄの３箇所の出力値に基づいて原稿カバー４の開閉判断を行うことで、読取中の原稿カバー４の開閉誤判断の可能性を低減でき、原稿の読取を失敗する可能性等を低減できる。
【０２６３】
＜第８実施例＞
続いて、第８実施例を図１５および図１６を参照しつつ、説明する。
【０２６４】
以下、記載の無い点については、第１実施例と同様であるとする。
【０２６５】
図１５は、本発明の複合機１の操作部７及び信号生成回路１７の概略構成を示す図４とは異なる図である。
【０２６６】
図１６は、本発明の複合機１の原稿カバー４が閉位置にあるときの操作パネル６と、原稿カバー４の概略構成を示す図３と異なる上面図である。
【０２６７】
図１５に示すように、第８実施例においては、基板３０は、縦４列、横５列に構成されており、第１実施例の４行×４列の構成の最上行の上に、１行×４列を追加した構成となっている。
【０２６８】
最も上の行では、最も左のタッチエリア４１ｑから順にセンサ４０ｒに対応するタッチエリア４１ｒ、センサ４０ｓに対応するタッチエリア４１ｓ、センサ４０ｔに対応するタッチエリア４１ｔが並んでいる。なお、センサ４０ｑ〜４０ｔは、タッチボタン４０ａ〜４０ｐと同様の構成であるが、ユーザの操作等に対応する動作が割り当てられておらず、記号３４Ａも記されていない。また第８実施例においては、すべてのタッチエリア４１をなす電極３１は、同面積である。
【０２６９】
信号線３２は、第１実施例で説明を行った８本に加え、タッチエリア４１の最上行に対応する信号線３２ｉが増えたことで、全部で９本が配線されている。
【０２７０】
信号線３２ａ〜３２ｉは、信号生成回路１７のポートＯＵＴ１〜ＯＵＴ９に接続され、各電極３１から出力される電荷量値を信号生成回路１７に伝達する。
【０２７１】
上記構成において、図１６に示すように、第８実施例においては、原稿カバー４の誘電部９には３つの誘電部材９Ａが設けられている。そしてセンサ４０ｒに対応するタッチエリア４１ｒ、センサ４０ｓに対応するタッチエリア４１ｓ、センサ４０ｔに対応するタッチエリア４１ｔは、原稿カバー４が閉位置である場合に、原稿カバー４に設けられた３つの誘電部材９Ａにそれぞれ接触する位置に設けられている。
【０２７２】
タッチエリア４１ｒ〜４１ｔをなす電極３１は、誘電部材９Ａが設けられた原稿カバー４の接触によって、誘電部材９Ａによって生じる誘電に応じた電荷量値を出力する。
【０２７３】
第８実施例におけるセンサ４０ｒ〜４０ｔとそれに関連する基板３０、電極３１、信号線３２等の操作部７における各構成および信号生成回路１７は第１の検出部および検出部の一例である。
【０２７４】
また、第８実施例におけるタッチボタン４０ａ〜４０ｐとそれに関連する基板３０、電極３１、信号線３２等の操作部７における各構成および信号生成回路１７は第２の検出部および検出部の一例である。
【０２７５】
なお、第８実施例においては、センサ４０ｒに対応する信号線３２の情報がパラメータ「第１のセンサ」、センサ４０ｓに対応する信号線３２の情報がパラメータ「第２のセンサ」、センサ４０ｔに対応する信号線３２の情報がパラメータ「第３のセンサ」として、メモリに保持され、カバー開閉状態取得処理において原稿カバー４の開閉状態判断に用いられる。
【０２７６】
読取機能の処理については、第１実施例と同様である。
【０２７７】
＜作用効果＞
本発明によれば、必要なメカ機構の材料および配置場所を低減できる原稿カバー４の変位判断、およびタッチボタン４０への人体の接近又は接触によって画像処理を行うことができるとともに、原稿カバー４の開閉判断を行うセンサ４０ｒ、４０ｓ、４０ｔ、およびタッチボタン４０ａ〜４０ｐを設ける基板３０を共通化することで、基板の数を低減することができる。
【０２７８】
＜第９実施例＞
続いて、第９実施例を図１７から図２０を参照しつつ、説明する。
【０２７９】
以下、記載の無い点については、第１実施例と同様であるとする。
【０２８０】
図１７は、本発明の複合機１の表示部８が回動可能である構成において、表示部８が操作パネル６に対して非操作位置にあるときの概略構成を示す斜視図である。
【０２８１】
図１８は、本発明の複合機１の表示部８が回動可能である構成において、表示部８が操作パネル６に対して操作位置にあるときの概略構成を示す斜視図である。
【０２８２】
表示部８（変位部材の一例）は、表示部８の前方の辺に設けられたヒンジ部（図示しない）を介して設けられており、図１７、図１８に示すように、ヒンジ部を中心として操作パネル６に対して上下方向に回動することで、装置本体２に対して、図１７のようにユーザによる操作を受け付けない位置である非操作位置（第１の位置の一例）および、図１８のようにユーザによる操作を受け付ける位置である操作位置（第２の位置の一例）に変位可能となっている。
【０２８３】
誘電部９は、図１７、図１８に示すように、表示部８の、表示部８が非操作位置である場合に操作部７に接近する部分に設けられており、誘電部材９Ａが複数個埋め込まれている。
【０２８４】
図１９は、本発明の複合機１の表示部８が回動可能である構成において、操作パネル６および原稿カバー４の概略構成を示す図である。
【０２８５】
図２０は、本発明の複合機１の表示部８が回動可能である構成において、操作パネル６を前方から見た場合の概略断面図である。
【０２８６】
図１９および図２０に示すように、操作部７には最左列が追加され、センサ４０ｕ、４０ｖ、４０ｗが設けられている。
【０２８７】
上記構成において、図１９に示すように、第９実施例においては、表示部８の誘電部９には３つの誘電部材９Ａが設けられている。そしてセンサ４０ｕに対応するタッチエリア４１ｕ、センサ４０ｖに対応するタッチエリア４１ｖ、センサ４０ｗに対応するタッチエリア４１ｗは、表示部８が非操作位置である場合に、原稿カバー４に設けられた３つの誘電部材９Ａにそれぞれ接触する位置に設けられている。
【０２８８】
タッチエリア４１ｕ〜４１ｗをなす電極３１は、誘電部材９Ａが設けられた表示部８の接触によって、誘電部材９Ａによって生じる誘電に応じた電荷量値を出力する。
【０２８９】
これによって、制御部１３は、第１実施例のカバー開閉状態取得処理と同様に、タッチエリア４１ｕ〜４１ｗの電圧値がある条件を満たす場合には、表示部８が非操作位置であるとして、例えば表示部８のＬＥＤを消灯させ、ユーザによる操作を受け付けない状態とし、タッチエリア４１ｕ〜４１ｗの電圧値の少なくとも１つがある条件を満たさない場合には、表示部８が操作位置であるとして、例えば表示部８のＬＥＤを点灯させ、ユーザによる操作を受け付ける状態とする等の処理を行う。
【０２９０】
第９実施例におけるセンサ４０ｕ〜４０ｗとそれに関連する基板３０、電極３１、信号線３２等の操作部７における各構成および信号生成回路１７は第１の検出部の一例である。
【０２９１】
＜作用効果＞
本発明によれば、センサ４０ｕ〜４０ｗとそれに関連する基板３０、電極３１、信号線３２等の操作部７における各構成、信号生成回路１７および誘電部材９Ａ等のセンサ部分以外に、センサ部分を反応させるためのメカ機構を設けることなしに、表示部８の変位判断を行うことができる。したがって、表示部８の変位判断に関して必要なメカ機構の材料および配置場所を低減できる。
【０２９２】
また、表示部８の変位判断に関して必要なメカ機構の材料および配置場所を低減できるとともに、タッチボタン４０への人体の接近又は接触によって、表示部８への表示を行うことができる。
【０２９３】
また、表示部８の変位判断を行うセンサ４０ｕ〜４０ｗとユーザからの操作を受け付けるタッチボタン４０を設ける基板を共通化することで、基板の数を低減することができる。
【０２９４】
（その他の実施例）
（１）上記実施例においては、原稿カバー４や表示部８などの変位部材を備える複合機１について説明を行ったが、本発明の適用物はこれに限られず、例えば、変位部材としての蓋および画像処理部としてのディスプレイを備えた携帯端末、携帯ゲーム機や、変位部材および画像処理部としてディスプレイを備えたノートパソコン等であってもよい。
【０２９５】
（２）上記実施例においては電荷量値の電圧値への変換は、信号生成回路１７で行ったが、信号生成回路１７を制御部１３が備える構成として、制御部１３で行ってもよい。また、上記実施例においては、電荷量値を電圧値へ変換してから、各閾値によって複合機１の状態判断を行ったが、電荷量値のままの状態で、複合機１の状態判断を行う構成であってもよい。この場合、各閾値は電荷量値に対応した閾値となる。
【０２９６】
（３）上記実施例においては、原稿カバー４は装置本体２にヒンジ部４Ａを介して設けられており、ヒンジ部４Ａを中心として装置本体２に対して上下方向に回動可能な構成であったが、このようでなくてもよい。例えば、スライド式や上下方向に平行移動するような構成であってもよい。
【０２９７】
（４）上記実施例においては操作部７は原稿カバー４の前方に、原稿カバー４に備えられた誘電部材９Ａに接するように設けられていたが、このようでなくてもよい。例えば、原稿カバー４の右部に誘電部材９Ａが備えられ、原稿カバー４の右方に操作部７のタッチボタン４０が誘電部材９Ａと接するように設けられる構成であってもよい。
【０２９８】
（５）上記実施例においては、誘電部材９Ａを有する誘電部９は原稿カバー４に設けられる構成であったが、例えば、タッチボタン４０が原稿カバー４に設けられる構成であって誘電部９は前述のタッチボタン４０に対応して装置本体２に設けられる構成であってもよい。また、誘電部材９Ａと誘電部材９Ａに対応して設けられるタッチボタン４０の組が複数設けられる構成であって、一部の組は誘電部材９が装置本体２に、他の組は誘電部材９が原稿カバー４に設けられるような構成であっても良い。
【０２９９】
（６）上記実施例においては、電極３１は台形形状であったが、このようでなくてもよい。例えば、正方形形状、長方形形状などでもよい。
【０３００】
（７）上記実施例において、１つのタッチエリア４１に対応する２個の電極３１がそれぞれ対応する信号線３２に出力する電荷量値は、同一の値であったが、このようでなくてもよい。例えば、それぞれ対応する信号線３２に出力する電荷量値はそれぞれ異なる構成であってもよい。このとき、それぞれの電荷量値について、それぞれ閾値を設け、それぞれの閾値について定めた条件を１つにまとめたものを「原稿カバー４が閉位置であるための条件」とするような構成が考えられる。
【０３０１】
（８）上記実施例においては、誘電部材９Ａと、誘電部材９Ａに対応して原稿カバー４の開閉状態を判断するセンサは複数組設けられていたが、このようでなくてもよい。例えば、誘電部材９Ａと、誘電部材９Ａに対応して原稿カバー４の開閉状態を判断するためのタッチボタン４０は、「第１のセンサ」による１組であってもよい。この場合、複合機１は「第１のセンサ」のパラメータのみを保持し、カバー開閉状態取得処理は、「第２センサ」、「第３のセンサ」の電圧値が「原稿カバー４が閉位置であるための条件」を満たすか否かの判断Ｓ４０５、Ｓ４１０を省略する。すなわち「第１のセンサ」の電圧値が「原稿カバー４が閉位置であるための条件」を満たすとしてＳ４００：ＹＥＳならば、「カバー開閉状態フラグ」を「閉位置」とするＳ４１５へ移行する処理となる。
【０３０２】
（９）上記実施例においては、カバー開閉状態取得処理において、「第１のセンサ」等のセンサの全てが「原稿カバー４が閉位置であるための条件」を満たすならば、「原稿カバー開閉フラグ」を「閉位置」とし、センサの中の１つでも「原稿カバー４が閉位置であるための条件」を満たさないならば、「原稿カバー開閉フラグ」を「開位置」としていたが、このようでなくてもよい。例えば、センサの全てが「原稿カバー４が閉位置であるための条件」を満たさないならば、「原稿カバー開閉フラグ」を「開位置」とし、センサの中の１つでも「原稿カバー４が閉位置であるための条件」を満たすならば、「原稿カバー開閉フラグ」を「閉位置」としてもよい。あるいは、センサの全てが「原稿カバー４が閉位置であるための条件」を満たすならば、「原稿カバー開閉フラグ」を「閉位置」とし、センサの全てが「原稿カバー４が閉位置であるための条件」を満たさないならば、「原稿カバー開閉フラグ」を「開位置」としてもよい。このとき、「原稿カバー４が閉位置であるための条件」を満たすセンサと満たさないセンサがある場合には、前回の「原稿カバー開閉フラグ」の内容を保持する等が考えられる。また、各センサが「原稿カバー４が閉位置であるための条件」を満たすか否かを判断する順番は、「第ｘのセンサ」のｘが昇順でなくてもよく、例えば降順等であってもよい。
【０３０３】
（１０）上記実施例においては、「第１のセンサ」等の原稿カバー４が開位置にあるか閉位置にあるかに応じて電荷量値を出力する構成と、ユーザの指等の人体の接近、接触に基づいて電荷量値を出力するタッチボタン４０は共通の基板３０上に設けられていたがこのようでなくてもよい。例えば、２つの基板上に別々に設けられる構成であってもよい。このとき、信号生成回路１７のような電荷量値を電圧値に変換する構成は、共通のものであってもよいし、それぞれに対応して別々に設けられている構成であっても良い。
【０３０４】
（１１）上記第２の実施例においては、「１」の数字のタッチボタン４０ｂと、「３」の数字のタッチボタン４０ｄによって、原稿カバー４の開閉状態を判断する構成であったがこのようでなくてもよい。例えば、中止ボタン４０ａと「２」の数字のタッチボタン４０ｃと「３」の数字のタッチボタン４０ｄによって、原稿カバー４の開閉状態を判断する構成であってもよい。この構成によれば、少なくとも中止ボタン４０ａは「２」の数字のタッチボタン４０ｃと「３」の数字のタッチボタン４０ｄに対して、タッチボタン４０が１個分設置される分の距離離れている。
【０３０５】
（１２）上記第５実施例においては、タッチボタン４０が１個分設置される分の距離離れた「１」のタッチボタン４０ｂと、「３」のタッチボタン４０ｄとによってカバー開閉状態取得処理を行ったが、このようでなくてもよい。例えば、タッチボタン４０が２個分設置される分の距離離れた中止ボタン４０ａと、「３」のタッチボタン４０ｄとによって、カバー開閉状態取得処理を行う構成であってもよい。
【符号の説明】
【０３０６】
１  複合機
２  装置本体
３  原稿載置部
４  原稿カバー
５  読取部
６  操作パネル
７  操作部
８  表示部
９  誘電部
１０  画像形成部
１３  制御部
１４  原稿検出センサ
１７  信号生成回路
２１  通信部
３０  基板
３１  電極
３２  信号線
３４  トップコート
３５  発光部材
３６  LED
３８  電源ボタン
４０  タッチボタン／センサ
４１  タッチエリア
【図１】
2014232913.tif 000003
【図２】
2014232913.tif 000004
【図３】
2014232913.tif 000005
【図４】
2014232913.tif 000006
【図５】
2014232913.tif 000007
【図６】
2014232913.tif 000008
【図７】
2014232913.tif 000009
【図８】
2014232913.tif 000010
【図９】
2014232913.tif 000011
【図１０】
2014232913.tif 000012
【図１１】
2014232913.tif 000013
【図１２】
2014232913.tif 000014
【図１３】
2014232913.tif 000015
【図１４】
2014232913.tif 000016
【図１５】
2014232913.tif 000017
【図１６】
2014232913.tif 000018
【図１７】
2014232913.tif 000019
【図１８】
2014232913.tif 000020
【図１９】
2014232913.tif 000021
【図２０】
2014232913.tif 000022